(57)【要約】【課題】  位置合わせ用のパターンの位置を高精度に検出することができるパターン位置検出方法を提供する。【解決手段】  本発明に係るパターン位置検出方法では、液晶パネル２にパターンを表示させてカメラ３により撮像するとともに、液晶パネル２に黒色画像を表示させてパターンの撮像時と同一のシャッタースピード又はＦ値でカメラ３により撮像し、パターンの撮像画像と黒色画像の撮像画像との差分に基づいて、カメラ３の撮像面上におけるパターンの像の位置を検出する。【選択図】  図１
2014128821.tif 000002
【特許請求の範囲】
【請求項１】
表示パネルに表示されたパターンをカメラにより撮像し、前記カメラの撮像面上における前記パターンの像の位置を検出するパターン位置検出方法であって、
前記表示パネルの所定位置に赤色パターンを表示させ、前記カメラにより撮像する赤色パターン撮像ステップと、
前記表示パネルに黒色画像を表示させ、前記カメラにより前記赤色パターン撮像ステップと同一のシャッタースピード及び／又はＦ値で撮像する第一の黒色画像撮像ステップと、
前記表示パネルの所定位置に緑色パターンを表示させ、前記カメラにより撮像する緑色パターン撮像ステップと、
前記表示パネルに黒色画像を表示させ、前記カメラにより前記緑色パターン撮像ステップと同一のシャッタースピード及び／又はＦ値で撮像する第二の黒色画像撮像ステップと、
前記表示パネルの所定位置に青色パターンを表示させ、前記カメラにより撮像する青色パターン撮像ステップと、
前記表示パネルに黒色画像を表示させ、前記カメラにより前記青色パターン撮像ステップと同一のシャッタースピード及び／又はＦ値で撮像する第三の黒色画像撮像ステップと、
前記赤色パターン撮像ステップの撮像画像と前記第一の黒色画像撮像ステップの撮像画像との差分に基づいて、前記撮像面上における前記赤色パターンの像の位置を検出する赤色パターン位置検出ステップと、
前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、
前記青色パターン撮像ステップの撮像画像と前記第三の黒色画像撮像ステップの撮像画像との差分に基づいて、前記撮像面上における前記青色パターンの像の位置を検出する青色パターン位置検出ステップとを含むことを特徴とするパターン位置検出方法。
【請求項２】
表示パネルに表示されたパターンをカメラにより撮像し、前記カメラの撮像面上における前記パターンの像の位置を検出するパターン位置検出方法であって、
前記表示パネルの所定位置に赤色、緑色、青色のいずれか一原色からなる原色パターンを表示させ、前記カメラにより撮像する原色パターン撮像ステップと、
前記表示パネルに黒色画像を表示させ、前記カメラにより前記原色パターン撮像ステップと同一のシャッタースピード及び／又はＦ値で撮像する黒色画像撮像ステップと、
前記原色パターン撮像ステップの撮像画像と前記黒色画像撮像ステップの撮像画像との差分に基づいて、前記撮像面上における前記原色パターンの像の位置を検出する原色パターン位置検出ステップとを含むことを特徴とするパターン位置検出方法。
【請求項３】
表示パネルに表示されたパターンをカメラにより撮像し、前記カメラの撮像面上における前記パターンの像の位置を検出するパターン位置検出方法であって、
前記表示パネルの所定位置に白色パターンを表示させ、前記カメラにより撮像する白色パターン撮像ステップと、
前記表示パネルに黒色画像を表示させ、前記カメラにより前記白色パターン撮像ステップと同一のシャッタースピード及び／又はＦ値で撮像する黒色画像撮像ステップと、
前記白色パターン撮像ステップの撮像画像と前記黒色画像撮像ステップの撮像画像との差分に基づいて、前記撮像面上における前記白色パターンの像の位置を検出する白色パターン位置検出ステップとを含むことを特徴とするパターン位置検出方法。
【請求項４】
表示パネルに表示されたパターンをカメラにより撮像し、前記カメラの撮像面上における前記パターンの像の位置を検出するパターン位置検出システムであって、
前記表示パネルの所定位置に赤色パターン、緑色パターン、青色パターン及び黒色画像を表示させる表示制御手段と、
前記表示制御手段により前記表示パネルに表示された赤色パターンを前記カメラが撮像した撮像画像と、前記表示制御手段により前記表示パネルに表示された黒色画像を前記カメラが前記赤色パターンと同一のシャッタースピード及び／又はＦ値で撮像した撮像画像との差分に基づいて、前記撮像面上における前記赤色パターンの像の位置を検出する赤色パターン位置検出手段と、
前記表示制御手段により前記表示パネルに表示された緑色パターンを前記カメラが撮像した撮像画像と、前記表示制御手段により前記表示パネルに表示された黒色画像を前記カメラが前記緑色パターンと同一のシャッタースピード及び／又はＦ値で撮像した撮像画像との差分に基づいて、前記撮像面上における前記緑色パターンの像の位置を検出する緑色パターン位置検出手段と、
前記表示制御手段により前記表示パネルに表示された青色パターンを前記カメラが撮像した撮像画像と、前記表示制御手段により前記表示パネルに表示された黒色画像を前記カメラが前記青色パターンと同一のシャッタースピード及び／又はＦ値で撮像した撮像画像との差分に基づいて、前記撮像面上における前記青色パターンの像の位置を検出する青色パターン位置検出手段とを有することを特徴とするパターン位置検出システム。
【請求項５】
表示パネルに表示されたパターンをカメラにより撮像し、前記カメラの撮像面上における前記パターンの像の位置を検出するパターン位置検出システムであって、
前記表示パネルの所定位置に赤色、緑色、青色のいずれか一原色からなる原色パターン及び黒色画像を表示させる表示制御手段と、
前記表示制御手段により前記表示パネルに表示された原色パターンを前記カメラが撮像した撮像画像と、前記表示制御手段により前記表示パネルに表示された黒色画像を前記カメラが前記原色パターンと同一のシャッタースピード及び／又はＦ値で撮像した撮像画像との差分に基づいて、前記撮像面上における前記原色パターンの像の位置を検出する原色パターン位置検出手段とを有することを特徴とするパターン位置検出システム。
【請求項６】
表示パネルに表示されたパターンをカメラにより撮像し、前記カメラの撮像面上における前記パターンの像の位置を検出するパターン位置検出システムであって、
前記表示パネルの所定位置に白色パターン及び黒色画像を表示させる表示制御手段と、
前記表示制御手段により前記表示パネルに表示された白色パターンを前記カメラが撮像した撮像画像と、前記表示制御手段により前記表示パネルに表示された黒色画像を前記カメラが前記白色パターンと同一のシャッタースピード及び／又はＦ値で撮像した撮像画像との差分に基づいて、前記撮像面上における前記白色パターンの像の位置を検出する白色パターン位置検出手段とを有することを特徴とするパターン位置検出システム。
【請求項７】
表示パネルの入力信号を補正して前記表示パネルの表示のむらを低減させる補正データを、前記表示パネルをカメラにより撮像して生成する補正データ生成方法であって、
前記表示パネルの所定位置に赤色パターンを表示させ、前記カメラにより撮像する赤色パターン撮像ステップと、
前記表示パネルに黒色画像を表示させ、前記カメラにより前記赤色パターン撮像ステップと同一のシャッタースピード及び／又はＦ値で撮像する第一の黒色画像撮像ステップと、
前記表示パネルの所定位置に緑色パターンを表示させ、前記カメラにより撮像する緑色パターン撮像ステップと、
前記表示パネルに黒色画像を表示させ、前記カメラにより前記緑色パターン撮像ステップと同一のシャッタースピード及び／又はＦ値で撮像する第二の黒色画像撮像ステップと、
前記表示パネルの所定位置に青色パターンを表示させ、前記カメラにより撮像する青色パターン撮像ステップと、
前記表示パネルに黒色画像を表示させ、前記カメラにより前記青色パターン撮像ステップと同一のシャッタースピード及び／又はＦ値で撮像する第三の黒色画像撮像ステップと、
前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、
前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、
前記青色パターン撮像ステップの撮像画像と前記第三の黒色画像撮像ステップの撮像画像との差分に基づいて、前記撮像面上における前記青色パターンの像の位置を検出する青色パターン位置検出ステップと、
前記表示パネルに赤色画像を表示させ、前記カメラにより撮像する赤色画像撮像ステップと、
前記表示パネルに緑色画像を表示させ、前記カメラにより撮像する緑色画像撮像ステップと、
前記表示パネルに青色画像を表示させ、前記カメラにより撮像する青色画像撮像ステップと、
前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、
前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、
前記青色パターン位置検出ステップの検出結果及び前記青色画像撮像ステップの撮像画像に基づいて、前記表示パネルの青色表示時のむらを低減させるための補正データを生成する青色補正データ生成ステップとを含むことを特徴とする補正データ生成方法。
【請求項８】
表示パネルの入力信号を補正して前記表示パネルの表示のむらを低減させる補正データを、前記表示パネルをカメラにより撮像して生成する補正データ生成方法であって、
前記表示パネルの所定位置に赤色、緑色、青色のいずれか一原色からなる原色パターンを表示させ、前記カメラにより撮像する原色パターン撮像ステップと、
前記表示パネルに黒色画像を表示させ、前記カメラにより前記原色パターン撮像ステップと同一のシャッタースピード及び／又はＦ値で撮像する黒色画像撮像ステップと、
前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、
前記表示パネルに前記一原色からなる画像を表示させ、前記カメラにより撮像する第一の原色画像撮像ステップと、
前記表示パネルに前記一原色以外の他の二原色の一方の原色からなる画像を表示させ、前記カメラにより撮像する第二の原色画像撮像ステップと、
前記表示パネルに前記二原色の他方の原色からなる画像を表示させ、前記カメラにより撮像する第三の原色画像撮像ステップと、
前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、
前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、
前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップとを含むことを特徴とする補正データ生成方法。
【請求項９】
表示パネルの入力信号を補正して前記表示パネルの表示のむらを低減させる補正データを、前記表示パネルをカメラにより撮像して生成する補正データ生成方法であって、
前記表示パネルの所定位置に白色パターンを表示させ、前記カメラにより撮像する白色パターン撮像ステップと、
前記表示パネルに黒色画像を表示させ、前記カメラにより前記白色パターン撮像ステップと同一のシャッタースピード及び／又はＦ値で撮像する黒色画像撮像ステップと、
前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、
前記表示パネルに白色画像を表示させ、前記カメラにより撮像する白色画像撮像ステップと、
前記白色パターン位置検出ステップの検出結果及び前記白色画像撮像ステップの撮像画像に基づいて、前記表示パネルの白色表示時のむらを低減させるための補正データを生成する白色補正データ生成ステップとを含むことを特徴とする補正データ生成方法。
【請求項１０】
表示パネルの入力信号を補正して前記表示パネルの表示のむらを低減させる補正データを、前記表示パネルをカメラにより撮像して生成する補正データ生成システムであって、
前記表示パネルの所定位置に赤色パターン、緑色パターン、青色パターン、黒色画像、赤色画像、緑色画像及び青色画像を表示させる表示制御手段と、
前記表示制御手段により前記表示パネルに表示された赤色パターンを前記カメラが撮像した撮像画像と、前記表示制御手段により前記表示パネルに表示された黒色画像を前記カメラが前記赤色パターンと同一のシャッタースピード及び／又はＦ値で撮像した撮像画像との差分に基づいて、前記カメラの撮像面上における前記赤色パターンの像の位置を検出する赤色パターン位置検出手段と、
前記表示制御手段により前記表示パネルに表示された緑色パターンを前記カメラが撮像した撮像画像と、前記表示制御手段により前記表示パネルに表示された黒色画像を前記カメラが前記緑色パターンと同一のシャッタースピード及び／又はＦ値で撮像した撮像画像との差分に基づいて、前記撮像面上における前記緑色パターンの像の位置を検出する緑色パターン位置検出手段と、
前記表示制御手段により前記表示パネルに表示された青色パターンを前記カメラが撮像した撮像画像と、前記表示制御手段により前記表示パネルに表示された黒色画像を前記カメラが前記青色パターンと同一のシャッタースピード及び／又はＦ値で撮像した撮像画像との差分に基づいて、前記撮像面上における前記青色パターンの像の位置を検出する青色パターン位置検出手段と、
前記赤色パターン位置検出手段の検出結果と、前記表示制御手段により前記表示パネルに表示された赤色画像を前記カメラが撮像した撮像画像とに基づいて、前記表示パネルの赤色表示時のむらを低減させるための補正データを生成する赤色補正データ生成手段と、
前記緑色パターン位置検出手段の検出結果と、前記表示制御手段により前記表示パネルに表示された緑色画像を前記カメラが撮像した撮像画像とに基づいて、前記表示パネルの緑色表示時のむらを低減させるための補正データを生成する緑色補正データ生成手段と、
前記青色パターン位置検出手段の検出結果と、前記表示制御手段により前記表示パネルに表示された青色画像を前記カメラが撮像した撮像画像とに基づいて、前記表示パネルの青色表示時のむらを低減させるための補正データを生成する青色補正データ生成手段とを有することを特徴とする補正データ生成システム。
【請求項１１】
表示パネルの入力信号を補正して前記表示パネルの表示のむらを低減させる補正データを、前記表示パネルをカメラにより撮像して生成する補正データ生成システムであって、
前記表示パネルの所定位置に赤色、緑色、青色のいずれか一原色からなる原色パターン、黒色画像、前記一原色からなる画像、前記一原色以外の他の二原色の一方の原色からなる画像及び前記二原色の他方の原色からなる画像を表示させる表示制御手段と、
前記表示制御手段により前記表示パネルに表示された原色パターンを前記カメラが撮像した撮像画像と、前記表示制御手段により前記表示パネルに表示された黒色画像を前記カメラが前記原色パターンと同一のシャッタースピード及び／又はＦ値で撮像した撮像画像との差分に基づいて、前記カメラの撮像面上における前記原色パターンの像の位置を検出する原色パターン位置検出手段と、
前記原色パターン位置検出手段の検出結果と、前記表示制御手段により前記表示パネルに表示された前記一原色からなる画像を前記カメラが撮像した撮像画像とに基づいて、前記表示パネルの前記一原色を表示した時のむらを低減させるための補正データを生成する第一の補正データ生成手段と、
前記原色パターン位置検出手段の検出結果と、前記表示制御手段により前記表示パネルに表示された前記二原色の一方の原色からなる画像を前記カメラが撮像した撮像画像とに基づいて、前記表示パネルの前記一方の原色からなる画像を表示した時のむらを低減させるための補正データを生成する第二の補正データ生成手段と、
前記原色パターン位置検出手段の検出結果と、前記表示制御手段により前記表示パネルに表示された前記二原色の他方の原色からなる画像を前記カメラが撮像した撮像画像とに基づいて、前記表示パネルの前記他方の原色からなる画像を表示した時のむらを低減させるための補正データを生成する第三の補正データ生成手段とを有することを特徴とする補正データ生成システム。
【請求項１２】
表示パネルの入力信号を補正して前記表示パネルの表示のむらを低減させる補正データを、前記表示パネルをカメラにより撮像して生成する補正データ生成システムであって、
前記表示パネルの所定位置に白色パターン、黒色画像及び白色画像を表示させる表示制御手段と、
前記表示制御手段により前記表示パネルに表示された白色パターンを前記カメラが撮像した撮像画像と、前記表示制御手段により前記表示パネルに表示された黒色画像を前記カメラが前記白色パターンと同一のシャッタースピード及び／又はＦ値で撮像した撮像画像との差分に基づいて、前記カメラの撮像面上における前記白色パターンの像の位置を検出する白色パターン位置検出手段と、
前記白色パターン位置検出手段の検出結果と、前記表示制御手段により前記表示パネルに表示された白色画像を前記カメラが撮像した撮像画像とに基づいて、前記表示パネルの白色表示時のむらを低減させるための補正データを生成する白色補正データ生成手段とを有することを特徴とする補正データ生成システム。
【請求項１３】
表示パネルの入力信号を補正して前記表示パネルの表示のむらを低減させる補正データにより、前記表示パネルの画質を調整する画質調整方法であって、
前記表示パネルの所定位置に赤色パターンを表示させ、前記カメラにより撮像する赤色パターン撮像ステップと、
前記表示パネルに黒色画像を表示させ、前記カメラにより前記赤色パターン撮像ステップと同一のシャッタースピード及び／又はＦ値で撮像する第一の黒色画像撮像ステップと、
前記表示パネルの所定位置に緑色パターンを表示させ、前記カメラにより撮像する緑色パターン撮像ステップと、
前記表示パネルに黒色画像を表示させ、前記カメラにより前記緑色パターン撮像ステップと同一のシャッタースピード及び／又はＦ値で撮像する第二の黒色画像撮像ステップと、
前記表示パネルの所定位置に青色パターンを表示させ、前記カメラにより撮像する青色パターン撮像ステップと、
前記表示パネルに黒色画像を表示させ、前記カメラにより前記青色パターン撮像ステップと同一のシャッタースピード及び／又はＦ値で撮像する第三の黒色画像撮像ステップと、
前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、
前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、
前記青色パターン撮像ステップの撮像画像と前記第三の黒色画像撮像ステップの撮像画像との差分に基づいて、前記撮像面上における前記青色パターンの像の位置を検出する青色パターン位置検出ステップと、
前記表示パネルに赤色画像を表示させ、前記カメラにより撮像する赤色画像撮像ステップと、
前記表示パネルに緑色画像を表示させ、前記カメラにより撮像する緑色画像撮像ステップと、
前記表示パネルに青色画像を表示させ、前記カメラにより撮像する青色画像撮像ステップと、
前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、
前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、
前記青色パターン位置検出ステップの検出結果及び前記青色画像撮像ステップの撮像画像に基づいて、前記表示パネルの青色表示時のむらを低減させるための補正データを生成する青色補正データ生成ステップと、
前記赤色補正データ生成ステップ、前記緑色補正データ生成ステップ及び前記青色補正データ生成ステップの各補正データに基づいて、前記表示パネルの入力信号を補正する入力信号補正ステップとを含むことを特徴とする画質調整方法。
【請求項１４】
表示パネルの入力信号を補正して前記表示パネルの表示のむらを低減させる補正データにより、前記表示パネルの画質を調整する画質調整方法であって、
前記表示パネルの所定位置に赤色、緑色、青色のいずれか一原色からなる原色パターンを表示させ、前記カメラにより撮像する原色パターン撮像ステップと、
前記表示パネルに黒色画像を表示させ、前記カメラにより前記原色パターン撮像ステップと同一のシャッタースピード及び／又はＦ値で撮像する黒色画像撮像ステップと、
前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、
前記表示パネルに前記一原色からなる画像を表示させ、前記カメラにより撮像する第一の原色画像撮像ステップと、
前記表示パネルに前記一原色以外の他の二原色の一方の原色からなる画像を表示させ、前記カメラにより撮像する第二の原色画像撮像ステップと、
前記表示パネルに前記二原色の他方の原色からなる画像を表示させ、前記カメラにより撮像する第三の原色画像撮像ステップと、
前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、
前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、
前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップと、
前記第一の補正データ生成ステップ、前記第二の補正データ生成ステップ及び前記第三の補正データ生成ステップの各補正データに基づいて、前記表示パネルの入力信号を補正する入力信号補正ステップとを含むことを特徴とする画質調整方法。
【請求項１５】
表示パネルの入力信号を補正して前記表示パネルの表示のむらを低減させる補正データにより、前記表示パネルの画質を調整する画質調整方法であって、
前記表示パネルの所定位置に白色パターンを表示させ、前記カメラにより撮像する白色パターン撮像ステップと、
前記表示パネルに黒色画像を表示させ、前記カメラにより前記白色パターン撮像ステップと同一のシャッタースピード及び／又はＦ値で撮像する黒色画像撮像ステップと、
前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、
前記表示パネルに白色画像を表示させ、前記カメラにより撮像する白色画像撮像ステップと、
前記白色パターン位置検出ステップの検出結果及び前記白色画像撮像ステップの撮像画像に基づいて、前記表示パネルの白色表示時のむらを低減させるための補正データを生成する白色補正データ生成ステップと、
前記白色補正データ生成ステップの補正データに基づいて、前記表示パネルの入力信号を補正する入力信号補正ステップとを含むことを特徴とする画質調整方法。
【請求項１６】
表示パネルと、前記表示パネルの入力信号を補正して前記表示パネルの表示むらを低減させる補正データが記憶された記憶部を備える画質調整手段とを有する画質調整型表示パネルの製造方法であって、
前記表示パネルの所定位置に赤色パターンを表示させ、カメラにより撮像する赤色パターン撮像ステップと、
前記表示パネルに黒色画像を表示させ、前記カメラにより前記赤色パターン撮像ステップと同一のシャッタースピード及び／又はＦ値で撮像する第一の黒色画像撮像ステップと、
前記表示パネルの所定位置に緑色パターンを表示させ、前記カメラにより撮像する緑色パターン撮像ステップと、
前記表示パネルに黒色画像を表示させ、前記カメラにより前記緑色パターン撮像ステップと同一のシャッタースピード及び／又はＦ値で撮像する第二の黒色画像撮像ステップと、
前記表示パネルの所定位置に青色パターンを表示させ、前記カメラにより撮像する青色パターン撮像ステップと、
前記表示パネルに黒色画像を表示させ、前記カメラにより前記青色パターン撮像ステップと同一のシャッタースピード及び／又はＦ値で撮像する第三の黒色画像撮像ステップと、
前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、
前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、
前記青色パターン撮像ステップの撮像画像と前記第三の黒色画像撮像ステップの撮像画像との差分に基づいて、前記撮像面上における前記青色パターンの像の位置を検出する青色パターン位置検出ステップと、
前記表示パネルに赤色画像を表示させ、前記カメラにより撮像する赤色画像撮像ステップと、
前記表示パネルに緑色画像を表示させ、前記カメラにより撮像する緑色画像撮像ステップと、
前記表示パネルに青色画像を表示させ、前記カメラにより撮像する青色画像撮像ステップと、
前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、
前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、
前記青色パターン位置検出ステップの検出結果及び前記青色画像撮像ステップの撮像画像に基づいて、前記表示パネルの青色表示時のむらを低減させるための補正データを生成する青色補正データ生成ステップと、
前記赤色補正データ生成ステップ、前記緑色補正データ生成ステップ及び前記青色補正データ生成ステップの各補正データを前記記憶部に記憶させる補正データ記憶ステップと、
前記画質調整手段が前記各補正データに基づいて前記表示パネルの入力信号を補正するように、前記画質調整手段を前記表示パネルに実装する実装ステップとを含むことを特徴とする画質調整型表示パネルの製造方法。
【請求項１７】
表示パネルと、前記表示パネルの入力信号を補正して前記表示パネルの表示むらを低減させる補正データが記憶された記憶部を備える画質調整手段とを有する画質調整型表示パネルの製造方法であって、
前記表示パネルの所定位置に赤色、緑色、青色のいずれか一原色からなる原色パターンを表示させ、カメラにより撮像する原色パターン撮像ステップと、
前記表示パネルに黒色画像を表示させ、前記カメラにより前記原色パターン撮像ステップと同一のシャッタースピード及び／又はＦ値で撮像する黒色画像撮像ステップと、
前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、
前記表示パネルに前記一原色からなる画像を表示させ、前記カメラにより撮像する第一の原色画像撮像ステップと、
前記表示パネルに前記一原色以外の他の二原色の一方の原色からなる画像を表示させ、前記カメラにより撮像する第二の原色画像撮像ステップと、
前記表示パネルに前記二原色の他方の原色からなる画像を表示させ、前記カメラにより撮像する第三の原色画像撮像ステップと、
前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、
前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、
前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップと、
前記第一の補正データ生成ステップ、前記第二の補正データ生成ステップ及び前記第三の補正データ生成ステップの各補正データを前記記憶部に記憶させる補正データ記憶ステップと、
前記画質調整手段が前記各補正データに基づいて前記表示パネルの入力信号を補正するように、前記画質調整手段を前記表示パネルに実装する実装ステップとを含むことを特徴とする画質調整型表示パネルの製造方法。
【請求項１８】
表示パネルと、前記表示パネルの入力信号を補正して前記表示パネルの表示むらを低減させる補正データが記憶された記憶部を備える画質調整手段とを有する画質調整型表示パネルの製造方法であって、
前記表示パネルの所定位置に白色パターンを表示させ、カメラにより撮像する白色パターン撮像ステップと、
前記表示パネルに黒色画像を表示させ、前記カメラにより前記白色パターン撮像ステップと同一のシャッタースピード及び／又はＦ値で撮像する黒色画像撮像ステップと、
前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、
前記表示パネルに白色画像を表示させ、前記カメラにより撮像する白色画像撮像ステップと、
前記白色パターン位置検出ステップの検出結果及び前記白色画像撮像ステップの撮像画像に基づいて、前記表示パネルの白色表示時のむらを低減させるための補正データを生成する白色補正データ生成ステップと、
前記白色補正データ生成ステップの補正データを前記記憶部に記憶させる補正データ記憶ステップと、
前記画質調整手段が前記補正データに基づいて前記表示パネルの入力信号を補正するように、前記画質調整手段を前記表示パネルに実装する実装ステップとを含むことを特徴とする画質調整型表示パネルの製造方法。
【請求項１９】
表示パネルと、前記表示パネルの入力信号を補正して前記表示パネルの表示むらを低減させる補正データが記憶された記憶部を備える画質調整手段とを有する画質調整型表示パネルであって、
前記記憶部には、
前記表示パネルの所定位置に赤色パターンを表示させてカメラにより撮像するとともに、前記表示パネルに黒色画像を表示させて前記カメラにより前記赤色パターンと同一のシャッタースピード及び／又はＦ値で撮像し、その赤色パターンの撮像画像と黒色画像の撮像画像との差分に基づいて前記カメラの撮像面上における前記赤色パターンの像の位置を検出した上で、前記表示パネルに赤色画像を表示させて前記カメラにより撮像し、前記赤色パターンの像の位置の検出結果及び前記赤色画像の撮像画像に基づいて生成した前記表示パネルの赤色表示時のむらを低減させるための補正データと、
前記表示パネルの所定位置に緑色パターンを表示させて前記カメラにより撮像するとともに、前記表示パネルに黒色画像を表示させて前記カメラにより前記緑色パターンと同一のシャッタースピード及び／又はＦ値で撮像し、その緑色パターンの撮像画像と黒色画像の撮像画像との差分に基づいて前記撮像面上における前記緑色パターンの像の位置を検出した上で、前記表示パネルに緑色画像を表示させて前記カメラにより撮像し、前記緑色パターンの像の位置の検出結果及び前記緑色画像の撮像画像に基づいて生成した前記表示パネルの緑色表示時のむらを低減させるための補正データと、
前記表示パネルの所定位置に青色パターンを表示させて前記カメラにより撮像するとともに、前記表示パネルに黒色画像を表示させて前記カメラにより前記青色パターンと同一のシャッタースピード及び／又はＦ値で撮像し、その青色パターンの撮像画像と黒色画像の撮像画像との差分に基づいて前記撮像面上における前記青色パターンの像の位置を検出した上で、前記表示パネルに青色画像を表示させて前記カメラにより撮像し、前記青色パターンの像の位置の検出結果及び前記青色画像の撮像画像に基づいて生成した前記表示パネルの青色表示時のむらを低減させるための補正データとが記憶されていることを特徴とする画質調整型表示パネル。
【請求項２０】
表示パネルと、前記表示パネルの入力信号を補正して前記表示パネルの表示むらを低減させる補正データが記憶された記憶部を備える画質調整手段とを有する画質調整型表示パネルであって、
前記記憶部には、
前記表示パネルの所定位置に赤色、緑色、青色のいずれか一原色からなる原色パターンを表示させてカメラにより撮像するとともに、前記表示パネルに黒色画像を表示させて前記カメラにより前記原色パターンと同一のシャッタースピード及び／又はＦ値で撮像し、その原色パターンの撮像画像と黒色画像の撮像画像との差分に基づいて前記カメラの撮像面上における前記原色パターンの像の位置を検出した上で、前記表示パネルに前記一原色からなる画像を表示させて前記カメラにより撮像し、前記原色パターンの像の位置の検出結果及び前記一原色からなる画像の撮像画像に基づいて生成した前記表示パネルの前記一原色を表示した時のむらを低減させるための補正データと、
前記表示パネルに前記一原色以外の他の二原色の一方の原色からなる画像を表示させて前記カメラにより撮像し、前記原色パターンの像の位置の検出結果及び前記二原色の一方の原色からなる画像の撮像画像に基づいて生成した前記表示パネルの前記二原色の一方の原色を表示した時のむらを低減させるための補正データと、
前記表示パネルに前記二原色の他方の原色からなる画像を表示させて前記カメラにより撮像し、前記原色パターンの像の位置の検出結果及び前記二原色の他方の原色からなる画像の撮像画像に基づいて生成した前記表示パネルの前記二原色の他方の原色を表示した時のむらを低減させるための補正データとが記憶されていることを特徴とする画質調整型表示パネル。
【請求項２１】
表示パネルと、前記表示パネルの入力信号を補正して前記表示パネルの表示むらを低減させる補正データが記憶された記憶部を備える画質調整手段とを有する画質調整型表示パネルであって、
前記記憶部には、前記表示パネルの所定位置に白色パターンを表示させてカメラにより撮像するとともに、前記表示パネルに黒色画像を表示させて前記カメラにより前記白色パターンと同一のシャッタースピード及び／又はＦ値で撮像し、その白色パターンの撮像画像と黒色画像の撮像画像との差分に基づいて前記カメラの撮像面上における前記白色パターンの像の位置を検出した上で、前記表示パネルに白色画像を表示させて前記カメラにより撮像し、前記白色パターンの像の位置の検出結果及び前記白色画像の撮像画像に基づいて生成した前記表示パネルの白色表示時のむらを低減させるための補正データが記憶されていることを特徴とする画質調整型表示パネル。
【発明の詳細な説明】
【技術分野】
【０００１】
本発明は、表示パネルに表示されたパターンをカメラにより撮像し、カメラの撮像面上におけるパターンの像の位置を検出するパターン位置検出方法及びパターン位置検出システムと、これらを用いた画質調整技術に関する。
【背景技術】
【０００２】
液晶パネル、有機ＥＬ等の表示パネルでは、セルギャップのむらやバックライトの明るさむら等の製造上のばらつきに起因して、輝度むらや色むらといった表示むらが生じることが知られている。表示パネルの各ピクセルがＲＧＢの表示素子を有する場合、個々のピクセルにおけるＲＧＢの相対的な明るさの関係は異ならないものの隣接するピクセル間で絶対的な明るさに差があるときには、輝度むらとなり、個々のピクセルにおけるＲＧＢの相対的な明るさの関係が隣接するピクセル間で異なるときには、色むらとなる。【０００３】
このような表示むらを低減させて表示パネルの画質を改善する技術として、例えば特許文献１に記載の画像補正データ生成システムがある。同システムは、表示パネルの全面にグレー画像を表示させ、このグレー画像をカメラにより撮像してその輝度分布を求め、この輝度分布に基づいて補正データを生成するもので、生成された補正データは、表示パネルに搭載される補正回路に記憶され、表示パネルに画像信号が入力されると、補正回路が補正データに基づいて入力信号を補正することにより、表示むらを低減させている。
【先行技術文献】
【特許文献】
【０００４】
【特許文献１】特開２０１０−５７１４９号公報
【発明の概要】
【発明が解決しようとする課題】
【０００５】
上記のように表示パネルを撮像して補正データを生成するには、その前提として、撮像した表示パネルがカメラの撮像面上のどこに位置するのかを正確に検出しなければならない。すなわち、例えば固体撮像素子カメラを使用して表示パネルを撮像した場合、補正データは撮像面上の各撮像素子の受光量に基づいて生成されるから、表示パネルの各部の明るさをどの撮像素子が受光しているのかにつき正確に検出しないと、誤った補正データが生成されてしまう。【０００６】
そこで、表示パネルの全面にグレー画像等を表示させる前に、まず表示パネル上で既知の位置にある特定のピクセルを発光させて位置合わせ用のパターン（アライメントパターン）を表示させ（図４参照）、これをカメラにより撮像し、パターンの像がカメラの撮像面上のどこに位置するのかを確認することが考えられる。【０００７】
しかしながら、表示パネルにパターンを表示させて実際に撮像してみると、表示パネルのフレームの孔からのバックライト漏れや表示パネル上にある輝点、あるいは、外光の映り込み等のノイズがパターンを構成するものとして誤認識されることがあり、パターンをうまく検出することが難しいことが判明した。【０００８】
本発明は、上記の事情に鑑みてなされたもので、位置合わせ用のパターンの位置を高精度に検出することができるパターン位置検出方法及びパターン位置検出システムと、これらを用いた画質調整技術を提供することを課題としている。
【課題を解決するための手段】
【０００９】
上記課題を解決するために、請求項１に記載の発明は、表示パネルに表示されたパターンをカメラにより撮像し、前記カメラの撮像面上における前記パターンの像の位置を検出するパターン位置検出方法であって、前記表示パネルの所定位置に赤色パターンを表示させ、前記カメラにより撮像する赤色パターン撮像ステップと、前記表示パネルに黒色画像を表示させ、前記カメラにより前記赤色パターン撮像ステップと同一のシャッタースピード及び／又はＦ値で撮像する第一の黒色画像撮像ステップと、前記表示パネルの所定位置に緑色パターンを表示させ、前記カメラにより撮像する緑色パターン撮像ステップと、前記表示パネルに黒色画像を表示させ、前記カメラにより前記緑色パターン撮像ステップと同一のシャッタースピード及び／又はＦ値で撮像する第二の黒色画像撮像ステップと、前記表示パネルの所定位置に青色パターンを表示させ、前記カメラにより撮像する青色パターン撮像ステップと、前記表示パネルに黒色画像を表示させ、前記カメラにより前記青色パターン撮像ステップと同一のシャッタースピード及び／又はＦ値で撮像する第三の黒色画像撮像ステップと、前記赤色パターン撮像ステップの撮像画像と前記第一の黒色画像撮像ステップの撮像画像との差分に基づいて、前記撮像面上における前記赤色パターンの像の位置を検出する赤色パターン位置検出ステップと、前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、前記青色パターン撮像ステップの撮像画像と前記第三の黒色画像撮像ステップの撮像画像との差分に基づいて、前記撮像面上における前記青色パターンの像の位置を検出する青色パターン位置検出ステップとを含むことを特徴とする。【００１０】
請求項２に記載の発明は、表示パネルに表示されたパターンをカメラにより撮像し、前記カメラの撮像面上における前記パターンの像の位置を検出するパターン位置検出方法であって、前記表示パネルの所定位置に赤色、緑色、青色のいずれか一原色からなる原色パターンを表示させ、前記カメラにより撮像する原色パターン撮像ステップと、前記表示パネルに黒色画像を表示させ、前記カメラにより前記原色パターン撮像ステップと同一のシャッタースピード及び／又はＦ値で撮像する黒色画像撮像ステップと、前記原色パターン撮像ステップの撮像画像と前記黒色画像撮像ステップの撮像画像との差分に基づいて、前記撮像面上における前記原色パターンの像の位置を検出する原色パターン位置検出ステップとを含むことを特徴とする。【００１１】
請求項３に記載の発明は、表示パネルに表示されたパターンをカメラにより撮像し、前記カメラの撮像面上における前記パターンの像の位置を検出するパターン位置検出方法であって、前記表示パネルの所定位置に白色パターンを表示させ、前記カメラにより撮像する白色パターン撮像ステップと、前記表示パネルに黒色画像を表示させ、前記カメラにより前記白色パターン撮像ステップと同一のシャッタースピード及び／又はＦ値で撮像する黒色画像撮像ステップと、前記白色パターン撮像ステップの撮像画像と前記黒色画像撮像ステップの撮像画像との差分に基づいて、前記撮像面上における前記白色パターンの像の位置を検出する白色パターン位置検出ステップとを含むことを特徴とする。【００１２】
請求項４に記載の発明は、表示パネルに表示されたパターンをカメラにより撮像し、前記カメラの撮像面上における前記パターンの像の位置を検出するパターン位置検出システムであって、前記表示パネルの所定位置に赤色パターン、緑色パターン、青色パターン及び黒色画像を表示させる表示制御手段と、前記表示制御手段により前記表示パネルに表示された赤色パターンを前記カメラが撮像した撮像画像と、前記表示制御手段により前記表示パネルに表示された黒色画像を前記カメラが前記赤色パターンと同一のシャッタースピード及び／又はＦ値で撮像した撮像画像との差分に基づいて、前記撮像面上における前記赤色パターンの像の位置を検出する赤色パターン位置検出手段と、前記表示制御手段により前記表示パネルに表示された緑色パターンを前記カメラが撮像した撮像画像と、前記表示制御手段により前記表示パネルに表示された黒色画像を前記カメラが前記緑色パターンと同一のシャッタースピード及び／又はＦ値で撮像した撮像画像との差分に基づいて、前記撮像面上における前記緑色パターンの像の位置を検出する緑色パターン位置検出手段と、前記表示制御手段により前記表示パネルに表示された青色パターンを前記カメラが撮像した撮像画像と、前記表示制御手段により前記表示パネルに表示された黒色画像を前記カメラが前記青色パターンと同一のシャッタースピード及び／又はＦ値で撮像した撮像画像との差分に基づいて、前記撮像面上における前記青色パターンの像の位置を検出する青色パターン位置検出手段とを有することを特徴とする。【００１３】
請求項５に記載の発明は、表示パネルに表示されたパターンをカメラにより撮像し、前記カメラの撮像面上における前記パターンの像の位置を検出するパターン位置検出システムであって、前記表示パネルの所定位置に赤色、緑色、青色のいずれか一原色からなる原色パターン及び黒色画像を表示させる表示制御手段と、前記表示制御手段により前記表示パネルに表示された原色パターンを前記カメラが撮像した撮像画像と、前記表示制御手段により前記表示パネルに表示された黒色画像を前記カメラが前記原色パターンと同一のシャッタースピード及び／又はＦ値で撮像した撮像画像との差分に基づいて、前記撮像面上における前記原色パターンの像の位置を検出する原色パターン位置検出手段とを有することを特徴とする。【００１４】
請求項６に記載の発明は、表示パネルに表示されたパターンをカメラにより撮像し、前記カメラの撮像面上における前記パターンの像の位置を検出するパターン位置検出システムであって、前記表示パネルの所定位置に白色パターン及び黒色画像を表示させる表示制御手段と、前記表示制御手段により前記表示パネルに表示された白色パターンを前記カメラが撮像した撮像画像と、前記表示制御手段により前記表示パネルに表示された黒色画像を前記カメラが前記白色パターンと同一のシャッタースピード及び／又はＦ値で撮像した撮像画像との差分に基づいて、前記撮像面上における前記白色パターンの像の位置を検出する白色パターン位置検出手段とを有することを特徴とする。【００１５】
請求項７に記載の発明は、表示パネルの入力信号を補正して前記表示パネルの表示のむらを低減させる補正データを、前記表示パネルをカメラにより撮像して生成する補正データ生成方法であって、前記表示パネルの所定位置に赤色パターンを表示させ、前記カメラにより撮像する赤色パターン撮像ステップと、前記表示パネルに黒色画像を表示させ、前記カメラにより前記赤色パターン撮像ステップと同一のシャッタースピード及び／又はＦ値で撮像する第一の黒色画像撮像ステップと、前記表示パネルの所定位置に緑色パターンを表示させ、前記カメラにより撮像する緑色パターン撮像ステップと、前記表示パネルに黒色画像を表示させ、前記カメラにより前記緑色パターン撮像ステップと同一のシャッタースピード及び／又はＦ値で撮像する第二の黒色画像撮像ステップと、前記表示パネルの所定位置に青色パターンを表示させ、前記カメラにより撮像する青色パターン撮像ステップと、前記表示パネルに黒色画像を表示させ、前記カメラにより前記青色パターン撮像ステップと同一のシャッタースピード及び／又はＦ値で撮像する第三の黒色画像撮像ステップと、前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、前記青色パターン撮像ステップの撮像画像と前記第三の黒色画像撮像ステップの撮像画像との差分に基づいて、前記撮像面上における前記青色パターンの像の位置を検出する青色パターン位置検出ステップと、前記表示パネルに赤色画像を表示させ、前記カメラにより撮像する赤色画像撮像ステップと、前記表示パネルに緑色画像を表示させ、前記カメラにより撮像する緑色画像撮像ステップと、前記表示パネルに青色画像を表示させ、前記カメラにより撮像する青色画像撮像ステップと、前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、前記青色パターン位置検出ステップの検出結果及び前記青色画像撮像ステップの撮像画像に基づいて、前記表示パネルの青色表示時のむらを低減させるための補正データを生成する青色補正データ生成ステップとを含むことを特徴とする。【００１６】
請求項８に記載の発明は、表示パネルの入力信号を補正して前記表示パネルの表示のむらを低減させる補正データを、前記表示パネルをカメラにより撮像して生成する補正データ生成方法であって、前記表示パネルの所定位置に赤色、緑色、青色のいずれか一原色からなる原色パターンを表示させ、前記カメラにより撮像する原色パターン撮像ステップと、前記表示パネルに黒色画像を表示させ、前記カメラにより前記原色パターン撮像ステップと同一のシャッタースピード及び／又はＦ値で撮像する黒色画像撮像ステップと、前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、前記表示パネルに前記一原色からなる画像を表示させ、前記カメラにより撮像する第一の原色画像撮像ステップと、前記表示パネルに前記一原色以外の他の二原色の一方の原色からなる画像を表示させ、前記カメラにより撮像する第二の原色画像撮像ステップと、前記表示パネルに前記二原色の他方の原色からなる画像を表示させ、前記カメラにより撮像する第三の原色画像撮像ステップと、前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップとを含むことを特徴とする。【００１７】
請求項９に記載の発明は、表示パネルの入力信号を補正して前記表示パネルの表示のむらを低減させる補正データを、前記表示パネルをカメラにより撮像して生成する補正データ生成方法であって、前記表示パネルの所定位置に白色パターンを表示させ、前記カメラにより撮像する白色パターン撮像ステップと、前記表示パネルに黒色画像を表示させ、前記カメラにより前記白色パターン撮像ステップと同一のシャッタースピード及び／又はＦ値で撮像する黒色画像撮像ステップと、前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、前記表示パネルに白色画像を表示させ、前記カメラにより撮像する白色画像撮像ステップと、前記白色パターン位置検出ステップの検出結果及び前記白色画像撮像ステップの撮像画像に基づいて、前記表示パネルの白色表示時のむらを低減させるための補正データを生成する白色補正データ生成ステップとを含むことを特徴とする。【００１８】
請求項１０に記載の発明は、表示パネルの入力信号を補正して前記表示パネルの表示のむらを低減させる補正データを、前記表示パネルをカメラにより撮像して生成する補正データ生成システムであって、前記表示パネルの所定位置に赤色パターン、緑色パターン、青色パターン、黒色画像、赤色画像、緑色画像及び青色画像を表示させる表示制御手段と、前記表示制御手段により前記表示パネルに表示された赤色パターンを前記カメラが撮像した撮像画像と、前記表示制御手段により前記表示パネルに表示された黒色画像を前記カメラが前記赤色パターンと同一のシャッタースピード及び／又はＦ値で撮像した撮像画像との差分に基づいて、前記カメラの撮像面上における前記赤色パターンの像の位置を検出する赤色パターン位置検出手段と、前記表示制御手段により前記表示パネルに表示された緑色パターンを前記カメラが撮像した撮像画像と、前記表示制御手段により前記表示パネルに表示された黒色画像を前記カメラが前記緑色パターンと同一のシャッタースピード及び／又はＦ値で撮像した撮像画像との差分に基づいて、前記撮像面上における前記緑色パターンの像の位置を検出する緑色パターン位置検出手段と、前記表示制御手段により前記表示パネルに表示された青色パターンを前記カメラが撮像した撮像画像と、前記表示制御手段により前記表示パネルに表示された黒色画像を前記カメラが前記青色パターンと同一のシャッタースピード及び／又はＦ値で撮像した撮像画像との差分に基づいて、前記撮像面上における前記青色パターンの像の位置を検出する青色パターン位置検出手段と、前記赤色パターン位置検出手段の検出結果と、前記表示制御手段により前記表示パネルに表示された赤色画像を前記カメラが撮像した撮像画像とに基づいて、前記表示パネルの赤色表示時のむらを低減させるための補正データを生成する赤色補正データ生成手段と、前記緑色パターン位置検出手段の検出結果と、前記表示制御手段により前記表示パネルに表示された緑色画像を前記カメラが撮像した撮像画像とに基づいて、前記表示パネルの緑色表示時のむらを低減させるための補正データを生成する緑色補正データ生成手段と、前記青色パターン位置検出手段の検出結果と、前記表示制御手段により前記表示パネルに表示された青色画像を前記カメラが撮像した撮像画像とに基づいて、前記表示パネルの青色表示時のむらを低減させるための補正データを生成する青色補正データ生成手段とを有することを特徴とする。【００１９】
請求項１１に記載の発明は、表示パネルの入力信号を補正して前記表示パネルの表示のむらを低減させる補正データを、前記表示パネルをカメラにより撮像して生成する補正データ生成システムであって、前記表示パネルの所定位置に赤色、緑色、青色のいずれか一原色からなる原色パターン、黒色画像、前記一原色からなる画像、前記一原色以外の他の二原色の一方の原色からなる画像及び前記二原色の他方の原色からなる画像を表示させる表示制御手段と、前記表示制御手段により前記表示パネルに表示された原色パターンを前記カメラが撮像した撮像画像と、前記表示制御手段により前記表示パネルに表示された黒色画像を前記カメラが前記原色パターンと同一のシャッタースピード及び／又はＦ値で撮像した撮像画像との差分に基づいて、前記カメラの撮像面上における前記原色パターンの像の位置を検出する原色パターン位置検出手段と、前記原色パターン位置検出手段の検出結果と、前記表示制御手段により前記表示パネルに表示された前記一原色からなる画像を前記カメラが撮像した撮像画像とに基づいて、前記表示パネルの前記一原色を表示した時のむらを低減させるための補正データを生成する第一の補正データ生成手段と、前記原色パターン位置検出手段の検出結果と、前記表示制御手段により前記表示パネルに表示された前記二原色の一方の原色からなる画像を前記カメラが撮像した撮像画像とに基づいて、前記表示パネルの前記一方の原色からなる画像を表示した時のむらを低減させるための補正データを生成する第二の補正データ生成手段と、前記原色パターン位置検出手段の検出結果と、前記表示制御手段により前記表示パネルに表示された前記二原色の他方の原色からなる画像を前記カメラが撮像した撮像画像とに基づいて、前記表示パネルの前記他方の原色からなる画像を表示した時のむらを低減させるための補正データを生成する第三の補正データ生成手段とを有することを特徴とする。【００２０】
請求項１２に記載の発明は、表示パネルの入力信号を補正して前記表示パネルの表示のむらを低減させる補正データを、前記表示パネルをカメラにより撮像して生成する補正データ生成システムであって、前記表示パネルの所定位置に白色パターン、黒色画像及び白色画像を表示させる表示制御手段と、前記表示制御手段により前記表示パネルに表示された白色パターンを前記カメラが撮像した撮像画像と、前記表示制御手段により前記表示パネルに表示された黒色画像を前記カメラが前記白色パターンと同一のシャッタースピード及び／又はＦ値で撮像した撮像画像との差分に基づいて、前記カメラの撮像面上における前記白色パターンの像の位置を検出する白色パターン位置検出手段と、前記白色パターン位置検出手段の検出結果と、前記表示制御手段により前記表示パネルに表示された白色画像を前記カメラが撮像した撮像画像とに基づいて、前記表示パネルの白色表示時のむらを低減させるための補正データを生成する白色補正データ生成手段とを有することを特徴とする。【００２１】
請求項１３に記載の発明は、表示パネルの入力信号を補正して前記表示パネルの表示のむらを低減させる補正データにより、前記表示パネルの画質を調整する画質調整方法であって、前記表示パネルの所定位置に赤色パターンを表示させ、前記カメラにより撮像する赤色パターン撮像ステップと、前記表示パネルに黒色画像を表示させ、前記カメラにより前記赤色パターン撮像ステップと同一のシャッタースピード及び／又はＦ値で撮像する第一の黒色画像撮像ステップと、前記表示パネルの所定位置に緑色パターンを表示させ、前記カメラにより撮像する緑色パターン撮像ステップと、前記表示パネルに黒色画像を表示させ、前記カメラにより前記緑色パターン撮像ステップと同一のシャッタースピード及び／又はＦ値で撮像する第二の黒色画像撮像ステップと、前記表示パネルの所定位置に青色パターンを表示させ、前記カメラにより撮像する青色パターン撮像ステップと、前記表示パネルに黒色画像を表示させ、前記カメラにより前記青色パターン撮像ステップと同一のシャッタースピード及び／又はＦ値で撮像する第三の黒色画像撮像ステップと、前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、前記青色パターン撮像ステップの撮像画像と前記第三の黒色画像撮像ステップの撮像画像との差分に基づいて、前記撮像面上における前記青色パターンの像の位置を検出する青色パターン位置検出ステップと、前記表示パネルに赤色画像を表示させ、前記カメラにより撮像する赤色画像撮像ステップと、前記表示パネルに緑色画像を表示させ、前記カメラにより撮像する緑色画像撮像ステップと、前記表示パネルに青色画像を表示させ、前記カメラにより撮像する青色画像撮像ステップと、前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、前記青色パターン位置検出ステップの検出結果及び前記青色画像撮像ステップの撮像画像に基づいて、前記表示パネルの青色表示時のむらを低減させるための補正データを生成する青色補正データ生成ステップと、前記赤色補正データ生成ステップ、前記緑色補正データ生成ステップ及び前記青色補正データ生成ステップの各補正データに基づいて、前記表示パネルの入力信号を補正する入力信号補正ステップとを含むことを特徴とする。【００２２】
請求項１４に記載の発明は、表示パネルの入力信号を補正して前記表示パネルの表示のむらを低減させる補正データにより、前記表示パネルの画質を調整する画質調整方法であって、前記表示パネルの所定位置に赤色、緑色、青色のいずれか一原色からなる原色パターンを表示させ、前記カメラにより撮像する原色パターン撮像ステップと、前記表示パネルに黒色画像を表示させ、前記カメラにより前記原色パターン撮像ステップと同一のシャッタースピード及び／又はＦ値で撮像する黒色画像撮像ステップと、前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、前記表示パネルに前記一原色からなる画像を表示させ、前記カメラにより撮像する第一の原色画像撮像ステップと、前記表示パネルに前記一原色以外の他の二原色の一方の原色からなる画像を表示させ、前記カメラにより撮像する第二の原色画像撮像ステップと、前記表示パネルに前記二原色の他方の原色からなる画像を表示させ、前記カメラにより撮像する第三の原色画像撮像ステップと、前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップと、前記第一の補正データ生成ステップ、前記第二の補正データ生成ステップ及び前記第三の補正データ生成ステップの各補正データに基づいて、前記表示パネルの入力信号を補正する入力信号補正ステップとを含むことを特徴とする。【００２３】
請求項１５に記載の発明は、表示パネルの入力信号を補正して前記表示パネルの表示のむらを低減させる補正データにより、前記表示パネルの画質を調整する画質調整方法であって、前記表示パネルの所定位置に白色パターンを表示させ、前記カメラにより撮像する白色パターン撮像ステップと、前記表示パネルに黒色画像を表示させ、前記カメラにより前記白色パターン撮像ステップと同一のシャッタースピード及び／又はＦ値で撮像する黒色画像撮像ステップと、前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、前記表示パネルに白色画像を表示させ、前記カメラにより撮像する白色画像撮像ステップと、前記白色パターン位置検出ステップの検出結果及び前記白色画像撮像ステップの撮像画像に基づいて、前記表示パネルの白色表示時のむらを低減させるための補正データを生成する白色補正データ生成ステップと、前記白色補正データ生成ステップの補正データに基づいて、前記表示パネルの入力信号を補正する入力信号補正ステップとを含むことを特徴とする。【００２４】
請求項１６に記載の発明は、表示パネルと、前記表示パネルの入力信号を補正して前記表示パネルの表示むらを低減させる補正データが記憶された記憶部を備える画質調整手段とを有する画質調整型表示パネルの製造方法であって、前記表示パネルの所定位置に赤色パターンを表示させ、カメラにより撮像する赤色パターン撮像ステップと、前記表示パネルに黒色画像を表示させ、前記カメラにより前記赤色パターン撮像ステップと同一のシャッタースピード及び／又はＦ値で撮像する第一の黒色画像撮像ステップと、前記表示パネルの所定位置に緑色パターンを表示させ、前記カメラにより撮像する緑色パターン撮像ステップと、前記表示パネルに黒色画像を表示させ、前記カメラにより前記緑色パターン撮像ステップと同一のシャッタースピード及び／又はＦ値で撮像する第二の黒色画像撮像ステップと、前記表示パネルの所定位置に青色パターンを表示させ、前記カメラにより撮像する青色パターン撮像ステップと、前記表示パネルに黒色画像を表示させ、前記カメラにより前記青色パターン撮像ステップと同一のシャッタースピード及び／又はＦ値で撮像する第三の黒色画像撮像ステップと、前記赤色パターン撮像ステップの撮像画像と前記第一の黒色画像撮像ステップの撮像画像との差分に基づいて、前記カメラの撮像面上における前記赤色パターンの像の位置を検出する赤色パターン位置検出ステップと、前記緑色パターン撮像ステップの撮像画像と前記第二の黒色画像撮像ステップの撮像画像との差分に基づいて、前記撮像面上における前記緑色パターンの像の位置を検出する緑色パターン位置検出ステップと、前記青色パターン撮像ステップの撮像画像と前記第三の黒色画像撮像ステップの撮像画像との差分に基づいて、前記撮像面上における前記青色パターンの像の位置を検出する青色パターン位置検出ステップと、前記表示パネルに赤色画像を表示させ、前記カメラにより撮像する赤色画像撮像ステップと、前記表示パネルに緑色画像を表示させ、前記カメラにより撮像する緑色画像撮像ステップと、前記表示パネルに青色画像を表示させ、前記カメラにより撮像する青色画像撮像ステップと、前記赤色パターン位置検出ステップの検出結果及び前記赤色画像撮像ステップの撮像画像に基づいて、前記表示パネルの赤色表示時のむらを低減させるための補正データを生成する赤色補正データ生成ステップと、前記緑色パターン位置検出ステップの検出結果及び前記緑色画像撮像ステップの撮像画像に基づいて、前記表示パネルの緑色表示時のむらを低減させるための補正データを生成する緑色補正データ生成ステップと、前記青色パターン位置検出ステップの検出結果及び前記青色画像撮像ステップの撮像画像に基づいて、前記表示パネルの青色表示時のむらを低減させるための補正データを生成する青色補正データ生成ステップと、前記赤色補正データ生成ステップ、前記緑色補正データ生成ステップ及び前記青色補正データ生成ステップの各補正データを前記記憶部に記憶させる補正データ記憶ステップと、前記画質調整手段が前記各補正データに基づいて前記表示パネルの入力信号を補正するように、前記画質調整手段を前記表示パネルに実装する実装ステップとを含むことを特徴とする。【００２５】
請求項１７に記載の発明は、表示パネルと、前記表示パネルの入力信号を補正して前記表示パネルの表示むらを低減させる補正データが記憶された記憶部を備える画質調整手段とを有する画質調整型表示パネルの製造方法であって、前記表示パネルの所定位置に赤色、緑色、青色のいずれか一原色からなる原色パターンを表示させ、カメラにより撮像する原色パターン撮像ステップと、前記表示パネルに黒色画像を表示させ、前記カメラにより前記原色パターン撮像ステップと同一のシャッタースピード及び／又はＦ値で撮像する黒色画像撮像ステップと、前記原色パターン撮像ステップの撮像画像と前記黒色画像撮像ステップの撮像画像との差分に基づいて、前記カメラの撮像面上における前記原色パターンの像の位置を検出する原色パターン位置検出ステップと、前記表示パネルに前記一原色からなる画像を表示させ、前記カメラにより撮像する第一の原色画像撮像ステップと、前記表示パネルに前記一原色以外の他の二原色の一方の原色からなる画像を表示させ、前記カメラにより撮像する第二の原色画像撮像ステップと、前記表示パネルに前記二原色の他方の原色からなる画像を表示させ、前記カメラにより撮像する第三の原色画像撮像ステップと、前記原色パターン位置検出ステップの検出結果及び前記第一の原色画像撮像ステップの撮像画像に基づいて、前記表示パネルの前記一原色を表示した時のむらを低減させるための補正データを生成する第一の補正データ生成ステップと、前記原色パターン位置検出ステップの検出結果及び前記第二の原色画像撮像ステップの撮像画像に基づいて、前記表示パネルの前記二原色の一方の原色を表示した時のむらを低減させるための補正データを生成する第二の補正データ生成ステップと、前記原色パターン位置検出ステップの検出結果及び前記第三の原色画像撮像ステップの撮像画像に基づいて、前記表示パネルの前記二原色の他方の原色を表示した時のむらを低減させるための補正データを生成する第三の補正データ生成ステップと、前記第一の補正データ生成ステップ、前記第二の補正データ生成ステップ及び前記第三の補正データ生成ステップの各補正データを前記記憶部に記憶させる補正データ記憶ステップと、前記画質調整手段が前記各補正データに基づいて前記表示パネルの入力信号を補正するように、前記画質調整手段を前記表示パネルに実装する実装ステップとを含むことを特徴とする。【００２６】
請求項１８に記載の発明は、表示パネルと、前記表示パネルの入力信号を補正して前記表示パネルの表示むらを低減させる補正データが記憶された記憶部を備える画質調整手段とを有する画質調整型表示パネルの製造方法であって、前記表示パネルの所定位置に白色パターンを表示させ、カメラにより撮像する白色パターン撮像ステップと、前記表示パネルに黒色画像を表示させ、前記カメラにより前記白色パターン撮像ステップと同一のシャッタースピード及び／又はＦ値で撮像する黒色画像撮像ステップと、前記白色パターン撮像ステップの撮像画像と前記黒色画像撮像ステップの撮像画像との差分に基づいて、前記カメラの撮像面上における前記白色パターンの像の位置を検出する白色パターン位置検出ステップと、前記表示パネルに白色画像を表示させ、前記カメラにより撮像する白色画像撮像ステップと、前記白色パターン位置検出ステップの検出結果及び前記白色画像撮像ステップの撮像画像に基づいて、前記表示パネルの白色表示時のむらを低減させるための補正データを生成する白色補正データ生成ステップと、前記白色補正データ生成ステップの補正データを前記記憶部に記憶させる補正データ記憶ステップと、前記画質調整手段が前記補正データに基づいて前記表示パネルの入力信号を補正するように、前記画質調整手段を前記表示パネルに実装する実装ステップとを含むことを特徴とする。【００２７】
請求項１９に記載の発明は、表示パネルと、前記表示パネルの入力信号を補正して前記表示パネルの表示むらを低減させる補正データが記憶された記憶部を備える画質調整手段とを有する画質調整型表示パネルであって、前記記憶部には、前記表示パネルの所定位置に赤色パターンを表示させてカメラにより撮像するとともに、前記表示パネルに黒色画像を表示させて前記カメラにより前記赤色パターンと同一のシャッタースピード及び／又はＦ値で撮像し、その赤色パターンの撮像画像と黒色画像の撮像画像との差分に基づいて前記カメラの撮像面上における前記赤色パターンの像の位置を検出した上で、前記表示パネルに赤色画像を表示させて前記カメラにより撮像し、前記赤色パターンの像の位置の検出結果及び前記赤色画像の撮像画像に基づいて生成した前記表示パネルの赤色表示時のむらを低減させるための補正データと、前記表示パネルの所定位置に緑色パターンを表示させて前記カメラにより撮像するとともに、前記表示パネルに黒色画像を表示させて前記カメラにより前記緑色パターンと同一のシャッタースピード及び／又はＦ値で撮像し、その緑色パターンの撮像画像と黒色画像の撮像画像との差分に基づいて前記撮像面上における前記緑色パターンの像の位置を検出した上で、前記表示パネルに緑色画像を表示させて前記カメラにより撮像し、前記緑色パターンの像の位置の検出結果及び前記緑色画像の撮像画像に基づいて生成した前記表示パネルの緑色表示時のむらを低減させるための補正データと、前記表示パネルの所定位置に青色パターンを表示させて前記カメラにより撮像するとともに、前記表示パネルに黒色画像を表示させて前記カメラにより前記青色パターンと同一のシャッタースピード及び／又はＦ値で撮像し、その青色パターンの撮像画像と黒色画像の撮像画像との差分に基づいて前記撮像面上における前記青色パターンの像の位置を検出した上で、前記表示パネルに青色画像を表示させて前記カメラにより撮像し、前記青色パターンの像の位置の検出結果及び前記青色画像の撮像画像に基づいて生成した前記表示パネルの青色表示時のむらを低減させるための補正データとが記憶されていることを特徴とする。【００２８】
請求項２０に記載の発明は、表示パネルと、前記表示パネルの入力信号を補正して前記表示パネルの表示むらを低減させる補正データが記憶された記憶部を備える画質調整手段とを有する画質調整型表示パネルであって、前記記憶部には、前記表示パネルの所定位置に赤色、緑色、青色のいずれか一原色からなる原色パターンを表示させてカメラにより撮像するとともに、前記表示パネルに黒色画像を表示させて前記カメラにより前記原色パターンと同一のシャッタースピード及び／又はＦ値で撮像し、その原色パターンの撮像画像と黒色画像の撮像画像との差分に基づいて前記カメラの撮像面上における前記原色パターンの像の位置を検出した上で、前記表示パネルに前記一原色からなる画像を表示させて前記カメラにより撮像し、前記原色パターンの像の位置の検出結果及び前記一原色からなる画像の撮像画像に基づいて生成した前記表示パネルの前記一原色を表示した時のむらを低減させるための補正データと、前記表示パネルに前記一原色以外の他の二原色の一方の原色からなる画像を表示させて前記カメラにより撮像し、前記原色パターンの像の位置の検出結果及び前記二原色の一方の原色からなる画像の撮像画像に基づいて生成した前記表示パネルの前記二原色の一方の原色を表示した時のむらを低減させるための補正データと、前記表示パネルに前記二原色の他方の原色からなる画像を表示させて前記カメラにより撮像し、前記原色パターンの像の位置の検出結果及び前記二原色の他方の原色からなる画像の撮像画像に基づいて生成した前記表示パネルの前記二原色の他方の原色を表示した時のむらを低減させるための補正データとが記憶されていることを特徴とする。【００２９】
請求項２１に記載の発明は、表示パネルと、前記表示パネルの入力信号を補正して前記表示パネルの表示むらを低減させる補正データが記憶された記憶部を備える画質調整手段とを有する画質調整型表示パネルであって、前記記憶部には、前記表示パネルの所定位置に白色パターンを表示させてカメラにより撮像するとともに、前記表示パネルに黒色画像を表示させて前記カメラにより前記白色パターンと同一のシャッタースピード及び／又はＦ値で撮像し、その白色パターンの撮像画像と黒色画像の撮像画像との差分に基づいて前記カメラの撮像面上における前記白色パターンの像の位置を検出した上で、前記表示パネルに白色画像を表示させて前記カメラにより撮像し、前記白色パターンの像の位置の検出結果及び前記白色画像の撮像画像に基づいて生成した前記表示パネルの白色表示時のむらを低減させるための補正データが記憶されていることを特徴とする。【００３０】
請求項１又は４に記載の発明によれば、表示パネルに表示された赤色パターンがカメラにより撮像されるとともに、表示パネルに表示された黒色画像が赤色パターンと同一のシャッタースピード及び／又はＦ値でカメラにより撮像され、赤色パターンの撮像画像とその黒色画像の撮像画像との差分に基づいてカメラの撮像面上における赤色パターンの像の位置が検出される。【００３１】
すなわち、赤色パターンの撮像画像に、たとえ表示パネルのフレームの孔からのバックライト漏れや表示パネル上にある輝点、あるいは、外光の映り込み等のノイズが含まれていたとしても、このようなノイズは黒色画像の撮像画像にも同様に含まれているから、赤色パターンの撮像画像から黒色画像の撮像画像を差し引くことによって除去される。【００３２】
したがって、カメラの撮像面上における赤色パターンの像の位置が、ノイズが除去された差分の画像（赤色パターンの撮像画像から黒色画像の撮像画像を差し引いた画像）から高精度に検出される。【００３３】
また、表示パネルに表示された緑色パターンがカメラにより撮像されるとともに、表示パネルに表示された黒色画像が緑色パターンと同一のシャッタースピード及び／又はＦ値でカメラにより撮像され、緑色パターンの撮像画像とその黒色画像の撮像画像との差分に基づいてカメラの撮像面上における緑色パターンの像の位置が検出されるから、カメラの撮像面上における緑色パターンの像の位置が、ノイズが除去された差分の画像（緑色パターンの撮像画像から黒色画像の撮像画像を差し引いた画像）から高精度に検出される。【００３４】
さらに、表示パネルに表示された青色パターンがカメラにより撮像されるとともに、表示パネルに表示された黒色画像が青色パターンと同一のシャッタースピード及び／又はＦ値でカメラにより撮像され、青色パターンの撮像画像とその黒色画像の撮像画像との差分に基づいてカメラの撮像面上における青色パターンの像の位置が検出されるから、カメラの撮像面上における青色パターンの像の位置が、ノイズが除去された差分の画像（青色パターンの撮像画像から黒色画像の撮像画像を差し引いた画像）から高精度に検出される。【００３５】
請求項２又は５に記載の発明によれば、表示パネルに表示された原色パターンがカメラにより撮像されるとともに、表示パネルに表示された黒色画像が原色パターンと同一のシャッタースピード及び／又はＦ値でカメラにより撮像され、原色パターンの撮像画像とその黒色画像の撮像画像との差分に基づいてカメラの撮像面上における原色パターンの像の位置が検出される（なお、本明細書において「原色」とは赤色、緑色、青色のことであり、各色のピーク波長はそれぞれ概ね６２５〜７４０ｎｍ、５００〜５６０ｎｍ、４４５〜４８５ｎｍの範囲にあればよい。）。【００３６】
すなわち、原色パターンの撮像画像に、たとえ表示パネルのフレームの孔からのバックライト漏れや表示パネル上にある輝点、あるいは、外光の映り込み等のノイズが含まれていたとしても、このようなノイズは黒色画像の撮像画像にも同様に含まれているから、原色パターンの撮像画像から黒色画像の撮像画像を差し引くことによって除去される。【００３７】
したがって、カメラの撮像面上における原色パターンの像の位置が、ノイズが除去された差分の画像（原色パターンの撮像画像から黒色画像の撮像画像を差し引いた画像）から高精度に検出される。【００３８】
請求項３又は６に記載の発明によれば、表示パネルに表示された白色パターンがカメラにより撮像されるとともに、表示パネルに表示された黒色画像が白色パターンと同一のシャッタースピード及び／又はＦ値でカメラにより撮像され、白色パターンの撮像画像とその黒色画像の撮像画像との差分に基づいてカメラの撮像面上における白色パターンの像の位置が検出される。【００３９】
すなわち、白色パターンの撮像画像に、たとえ表示パネルのフレームの孔からのバックライト漏れや表示パネル上にある輝点、あるいは、外光の映り込み等のノイズが含まれていたとしても、このようなノイズは黒色画像の撮像画像にも同様に含まれているから、白色パターンの撮像画像から黒色画像の撮像画像を差し引くことによって除去される。【００４０】
したがって、カメラの撮像面上における白色パターンの像の位置が、ノイズが除去された差分の画像（白色パターンの撮像画像から黒色画像の撮像画像を差し引いた画像）から高精度に検出される。【００４１】
請求項７又は１０に記載の発明によれば、請求項１又は４に記載の発明と同様に、カメラの撮像面上における赤色パターンの像の位置、緑色パターンの像の位置及び青色パターンの像の位置が、それぞれノイズが除去された差分の画像から高精度に検出される。【００４２】
そして、赤色パターンの像の位置の検出結果及び赤色画像の撮像画像に基づいて、表示パネルの赤色表示時のむらを低減させるための補正データが生成され、緑色パターンの像の位置の検出結果及び緑色画像の撮像画像に基づいて、表示パネルの緑色表示時のむらを低減させるための補正データが生成され、青色パターンの像の位置の検出結果及び青色画像の撮像画像に基づいて、表示パネルの青色表示時のむらを低減させるための補正データが生成されるが、上記のように、赤色パターンの像の位置、緑色パターンの像の位置及び青色パターンの像の位置が高精度に検出されるので、表示パネルの赤色表示時、緑色表示時及び青色表示時の各補正データも高精度に求めることができる。【００４３】
請求項８又は１１に記載の発明によれば、請求項２又は５に記載の発明と同様に、カメラの撮像面上における原色パターンの像の位置が、ノイズが除去された差分の画像から高精度に検出される。【００４４】
そして、原色パターンの像の位置の検出結果及び一原色からなる画像の撮像画像に基づいて、表示パネルの一原色を表示した時のむらを低減させるための補正データが生成されるが、上記のように、原色パターンの像の位置が高精度に検出されるので、表示パネルの一原色を表示した時の補正データも高精度に求めることができる。【００４５】
また、原色パターンの像の位置の検出結果及び上記一原色以外の他の二原色の一方の原色からなる画像の撮像画像に基づいて、表示パネルの上記二原色の一方の原色を表示した時のむらを低減させるための補正データが生成され、原色パターンの像の位置の検出結果及び上記二原色の他方の原色からなる画像の撮像画像に基づいて、表示パネルの上記二原色の他方の原色を表示した時のむらを低減させるための補正データが生成されるが、上記のように、原色パターンの像の位置が高精度に検出されるので、表示パネルの二原色を表示した時の各補正データも高精度に求めることができる。【００４６】
請求項９又は１２に記載の発明によれば、請求項３又は６に記載の発明と同様に、カメラの撮像面上における白色パターンの像の位置が、ノイズが除去された差分の画像から高精度に検出される。【００４７】
そして、白色パターンの像の位置の検出結果及び白色画像の撮像画像に基づいて、表示パネルの白色表示時のむらを低減させるための補正データが生成されるが、上記のように、白色パターンの像の位置が高精度に検出されるので、表示パネルの白色表示時の補正データも高精度に求めることができる。【００４８】
請求項１３、１６又は１９に記載の発明によれば、請求項７又は１０に記載の発明と同様に、カメラの撮像面上における赤色パターンの像の位置、緑色パターンの像の位置及び青色パターンの像の位置が、それぞれノイズが除去された差分の画像から高精度に検出され、表示パネルの赤色表示時、緑色表示時及び青色表示時の各補正データを高精度に求めることができる。【００４９】
また、これらの補正データに基づいて、表示パネルの入力信号が補正されるから、表示パネルの表示むらを効果的に低減させ、その画質を高精度に調整することができる。特に、表示パネルにおけるＲＧＢの各表示素子の位置のずれやカメラのレンズの倍率色収差に起因して、表示パネルの同一ピクセルの像の位置が表示色によってカメラの撮像面上で大きくずれるような場合にも、表示パネルの入力信号は赤色表示時、緑色表示時及び青色表示時の各補正データにより表示色に合わせて細やかに補正することができるので、高画質が得られる。【００５０】
請求項１４、１７又は２０に記載の発明によれば、請求項８又は１１に記載の発明と同様に、カメラの撮像面上における原色パターンの像の位置が、ノイズが除去された差分の画像から高精度に検出され、表示パネルの三原色を表示した時（赤色表示時、緑色表示時及び青色表示時）の各補正データを高精度に求めることができる。【００５１】
また、これらの補正データに基づいて、表示パネルの入力信号が補正されるから、表示パネルの表示むらを効果的に低減させ、その画質を高精度に調整することができる。特に、表示パネルにおけるＲＧＢの各表示素子の位置のずれやカメラのレンズの倍率色収差に起因して、表示パネルの同一ピクセルの像の位置が表示色によってカメラの撮像面上で大きくずれるような場合にも、表示パネルの入力信号は赤色表示時、緑色表示時及び青色表示時の各補正データにより表示色に合わせて細やかに補正することができるので、高画質が得られる。【００５２】
さらに、請求項１３、１６又は１９に記載の発明に比べて撮像数が少なくてすむから、補正データの生成に要するタクトタイムを減少させることができる。【００５３】
請求項１５、１８又は２１に記載の発明によれば、請求項９又は１２に記載の発明と同様に、カメラの撮像面上における白色パターンの像の位置が、ノイズが除去された差分の画像から高精度に検出され、表示パネルの白色表示時の補正データを高精度に求めることができる。【００５４】
また、これらの補正データに基づいて、表示パネルの入力信号が補正されるから、表示パネルの表示むらを効果的に低減させ、その画質を高精度に調整することができる。特に、表示パネルに色むらや高周波成分を有するむら（急峻な変化を有するむら）が目立たない場合には十分な効果が得られ、請求項１４、１７又は２０に記載の発明に比べて補正データの生成に要するタクトタイムをさらに減少させることができる。
【発明の効果】
【００５５】
本発明によれば、パターンの位置を高精度に検出することができ、ひいては表示パネルの表示むらを低減させるための高精度な補正データを生成することが可能で、表示パネルの画質を向上させることができる。
【図面の簡単な説明】
【００５６】
【図１】発明を実施するための形態に係る補正データ生成システムを示す説明図である。
【図２】実施形態１のパターン位置検出方法、補正データ生成方法、画質調整型表示パネルの製造方法及び画質調整方法の処理の前半を示す流れ図である。
【図３】実施形態１のパターン位置検出方法、補正データ生成方法、画質調整型表示パネルの製造方法及び画質調整方法の処理の後半を示す流れ図である。
【図４】（ａ）は実施形態１の赤色アライメントパターンを示す説明図、（ｂ）は実施形態１及び２の緑色アライメントパターンを示す説明図、（ｃ）は実施形態１の青色アライメントパターンを示す説明図、（ｄ）は実施形態３の白色アライメントパターンを示す説明図である。
【図５】（ａ）は赤色アライメントパターンの撮像画像を示す説明図、（ｂ）は（ａ）の赤色アライメントパターンと同一条件で撮像した黒色画像の撮像画像を示す説明図、（ｃ）は（ａ）の撮像画像と（ｂ）の撮像画像との差分画像を示す説明図である。
【図６】実施形態２のパターン位置検出方法、補正データ生成方法、画質調整型表示パネルの製造方法及び画質調整方法を示す流れ図である。
【図７】実施形態３のパターン位置検出方法、補正データ生成方法、画質調整型表示パネルの製造方法及び画質調整方法を示す流れ図である。
【発明を実施するための形態】
【００５７】
本発明を実施するための形態について、図面を用いて説明する。
【００５８】
〔実施形態１〕
図１は、本形態に係る補正データ生成システムを示す。この補正データ生成システム１は、液晶パネル２に各種パターンを表示させて白黒の固定撮像素子カメラ３で撮像し、液晶パネル２の表示むらを低減させる補正データを生成する。生成された補正データは、画質調整回路４のＲＯＭ（不揮発性メモリ）５に記憶され、この画質調整回路４が液晶パネル２に取り付けられることによって、画質調整型液晶パネル６が製造される。画質調整型液晶パネル６においては、画質調整回路４がＲＯＭ５に記憶された補正データを参照しながら液晶パネル２に入力された画像信号（入力信号）を補正することにより、液晶パネル２の表示むらの低減が図られて画質が調整される。
【００５９】
補正データ生成システム１は、カメラ３が接続される画質調整装置７と、液晶パネル２及び画質調整装置７に接続されるテストパターン発生装置８と、画質調整装置７に接続されるＲＯＭライタ９とを有する。画質調整装置７は、制御部１０と、撮像条件記憶部１１と、撮像画像記憶部１２と、補正データ記憶部１３とを有する。
【００６０】
図２及び図３に示すように、補正データ生成システム１が補正データを生成する際には、まず、画質調整装置７の制御部１０がテストパターン発生装置８に指示して液晶パネル２に対してアライメントパターン表示信号（Ｒ信号）を送出させ、図４（ａ）に示す赤色のアライメントパターン１４ｒを液晶パネル２に表示させる（ステップ１（図中「Ｓ．１」と記載。以下同様。））。アライメントパターン１４ｒは、液晶パネル２上で既知の位置にある特定のピクセルが赤色を呈することにより、赤色四角形状のドット１５ｒが縦横に並んだものである。
【００６１】
次に、制御部１０は、赤色アライメントパターン１４ｒが表示された液晶パネル２を、カメラ３により適切なフォーカス、シャッタースピード及びＦ値（絞り値）で撮像し（ステップ２）、このフォーカス、シャッタースピード及びＦ値を撮像条件記憶部１１に記憶させるとともに（ステップ３）、赤色アライメントパターン１４ｒの撮像画像（図５（ａ））を撮像画像記憶部１２に記憶させる（ステップ４）。
【００６２】
続いて、制御部１０は、テストパターン発生装置８に指示して液晶パネル２の全面に黒色画像を表示させ（ステップ５）、これを撮像条件記憶部１１に記憶されたフォーカス、シャッタースピード及びＦ値と同一のフォーカス、シャッタースピード及びＦ値（ステップ２と同一のフォーカス、シャッタースピード及びＦ値）でカメラ３により撮像し（ステップ６）、黒色画像の撮像画像（図５（ｂ））を撮像画像記憶部１２に記憶させる（ステップ７）。
【００６３】
ステップ１乃至７と同様に、制御部１０は、テストパターン発生装置８に指示して液晶パネル２に対してアライメントパターン表示信号（Ｇ信号）を送出させ、図４（ｂ）に示す緑色のアライメントパターン１４ｇを液晶パネル２に表示させる（ステップ８）。アライメントパターン１４ｇは、上記特定のピクセルが緑色を呈することにより、緑色四角形状のドット１５ｇが縦横に並んだものである。制御部１０は、緑色アライメントパターン１４ｇが表示された液晶パネル２をカメラ３により適切なフォーカス、シャッタースピード及びＦ値で撮像し（ステップ９）、このフォーカス、シャッタースピード及びＦ値を撮像条件記憶部１１に記憶させるとともに（ステップ１０）、緑色アライメントパターン１４ｇの撮像画像を撮像画像記憶部１２に記憶させる（ステップ１１）。さらに、制御部１０は、テストパターン発生装置８に指示して液晶パネル２の全面に黒色画像を表示させ（ステップ１２）、これを撮像条件記憶部１１に記憶されたフォーカス、シャッタースピード及びＦ値と同一のフォーカス、シャッタースピード及びＦ値（ステップ９と同一のフォーカス、シャッタースピード及びＦ値）でカメラ３により撮像し（ステップ１３）、黒色画像の撮像画像を撮像画像記憶部１２に記憶させる（ステップ１４）。
【００６４】
また、制御部１０は、テストパターン発生装置８に指示して液晶パネル２に対してアライメントパターン表示信号（Ｂ信号）を送出させ、図４（ｃ）に示す青色のアライメントパターン１４ｂを液晶パネル２に表示させる（ステップ１５）。アライメントパターン１４ｂは、上記特定のピクセルが青色を呈することにより、青色四角形状のドット１５ｂが縦横に並んだものである。制御部１０は、青色アライメントパターン１４ｂが表示された液晶パネル２をカメラ３により適切なフォーカス、シャッタースピード及びＦ値で撮像し（ステップ１６）、このフォーカス、シャッタースピード及びＦ値を撮像条件記憶部１１に記憶させるとともに（ステップ１７）、青色アライメントパターン１４ｂの撮像画像を撮像画像記憶部１２に記憶させる（ステップ１８）。さらに、制御部１０は、テストパターン発生装置８に指示して液晶パネル２の全面に黒色画像を表示させ（ステップ１９）、これを撮像条件記憶部１１に記憶されたフォーカス、シャッタースピード及びＦ値と同一のフォーカス、シャッタースピード及びＦ値（ステップ１６と同一のフォーカス、シャッタースピード及びＦ値）でカメラ３により撮像し（ステップ２０）、黒色画像の撮像画像を撮像画像記憶部１２に記憶させる（ステップ２１）。
【００６５】
これら一連の撮像を終えると、制御部１０は、撮像画像記憶部１２に記憶された赤色アライメントパターン１４ｒの撮像画像と、赤色アライメントパターン１４ｒと同一の条件（フォーカス、シャッタースピード及びＦ値）で撮像した黒色画像の撮像画像との差分に基づいて、カメラ３の撮像面上における赤色アライメントパターン１４ｒの像の位置を検出する（ステップ２２）。すなわち、制御部１０は、赤色アライメントパターン１４ｒの撮像画像から同一条件で撮像した黒色画像の撮像画像を差し引いて、赤色アライメントパターン１４ｒについての差分画像（図５（ｃ））を求め、この差分画像上のドットが上記特定のピクセルの赤色表示に対応するとして、赤色表示時に上記特定のピクセルの像がカメラ３の撮像面上のどの撮像素子に対応するのかを検出する。
【００６６】
ステップ２２と同様に、制御部１０は、撮像画像記憶部１２に記憶された緑色アライメントパターン１４ｇの撮像画像と、緑色アライメントパターン１４ｇと同一の条件で撮像した黒色画像の撮像画像との差分に基づいて、カメラ３の撮像面上における緑色アライメントパターン１４ｇの像の位置を検出し（ステップ２３）、撮像画像記憶部１２に記憶された青色アライメントパターン１４ｂの撮像画像と、青色アライメントパターン１４ｂと同一の条件で撮像した黒色画像の撮像画像との差分に基づいて、カメラ３の撮像面上における青色アライメントパターン１４ｂの像の位置を検出する（ステップ２４）。
【００６７】
カメラ３の撮像面上におけるアライメントパターン１４ｒ，１４ｇ，１４ｂの像の位置を検出した制御部１０は、テストパターン発生装置８に指示して液晶パネル２に対してテストパターン表示信号（Ｒ信号）を送出させ、赤色のテストパターンを液晶パネル２に表示させる（ステップ２５）。赤色テストパターンは、液晶パネル２の全ピクセルが所定の階調で赤色を呈するもので、液晶パネル２の全面に表示される赤色画像である。制御部１０は、赤色テストパターンが表示された液晶パネル２をカメラ３により適切なフォーカス、シャッタースピード及びＦ値で撮像し（ステップ２６）、赤色テストパターンの撮像画像を撮像画像記憶部１２に記憶させる（ステップ２７）。
【００６８】
ステップ２５乃至２７と同様に、制御部１０は、テストパターン発生装置８に指示して液晶パネル２に対してテストパターン表示信号（Ｇ信号）を送出させ、緑色のテストパターンを液晶パネル２に表示させる（ステップ２８）。緑色テストパターンは、液晶パネル２の全ピクセルが所定の階調で緑色を呈するもので、液晶パネル２の全面に表示される緑色画像である。制御部１０は、緑色テストパターンが表示された液晶パネル２をカメラ３により適切なフォーカス、シャッタースピード及びＦ値で撮像し（ステップ２９）、緑色テストパターンの撮像画像を撮像画像記憶部１２に記憶させる（ステップ３０）。
【００６９】
また、制御部１０は、テストパターン発生装置８に指示して液晶パネル２に対してテストパターン表示信号（Ｂ信号）を送出させ、青色のテストパターンを液晶パネル２に表示させる（ステップ３１）。青色テストパターンは、液晶パネル２の全ピクセルが所定の階調で青色を呈するもので、液晶パネル２の全面に表示される青色画像である。制御部１０は、青色テストパターンが表示された液晶パネル２をカメラ３により適切なフォーカス、シャッタースピード及びＦ値で撮像し（ステップ３２）、青色テストパターンの撮像画像を撮像画像記憶部１２に記憶させる（ステップ３３）。
【００７０】
各テストパターンを撮像した制御部１０は、ステップ２２における赤色アライメントパターン１４ｒの像の位置の検出結果と、赤色テストパターンの撮像画像に基づいて、液晶パネルの赤色表示時の輝度むらを低減させるための補正データを生成し（ステップ３４）、これを補正データ記憶部１３に記憶させる（ステップ３５）。
【００７１】
詳しくは、制御部１０は、赤色アライメントパターン１４ｒの像の位置の検出結果により、液晶パネル２の上記特定のピクセルがカメラ３のどの撮像素子に対応するかを把握しているから、上記特定のピクセルに対応しない撮像素子についても、補間等の演算により、液晶パネル２のどのピクセル又は領域に対応するかを求めることができる。つまり、赤色テストパターンの撮像画像（赤色テストパターン撮像時のカメラ３の各撮像素子の受光量）に基づいて、液晶パネル２の各ピクセル又は各領域の輝度が求められ、液晶パネル２の赤色表示時の二次元輝度分布データを得ることができるから、制御部１０は、その二次元輝度分布データを反転させて補正データ（画像補正テーブル）を生成する。
【００７２】
ステップ３４及び３５と同様に、制御部１０は、ステップ２３における緑色アライメントパターン１４ｇの像の位置の検出結果と、緑色画像の撮像画像に基づいて、液晶パネル２の緑色表示時の輝度むらを低減させるための補正データを生成し（ステップ３６）、これを補正データ記憶部１３に記憶させ（ステップ３７）、ステップ２４における青色アライメントパターン１４ｂの像の位置の検出結果と、青色テストパターンの撮像画像に基づいて、液晶パネル２の青色表示時の輝度むらを低減させるための補正データを生成し（ステップ３８）、これを補正データ記憶部１３に記憶させる（ステップ３９）。
【００７３】
制御部１０は、補正データ記憶部１３に記憶された赤色表示時、緑色表示時、青色表示時の各補正データをＲＯＭライタ９によりＲＯＭ５に書き込み（ステップ４０）、このＲＯＭ５を備える画質調整回路４が液晶パネル２に実装されることによって、画質調整型液晶パネル６が完成する（ステップ４１）。この画質調整型液晶パネル６では、画像信号が入力されると（ステップ４２）、画質調整回路４がＲＯＭ５に書き込まれた補正データを参照して入力信号に補正値を加算し、液晶パネル２の輝度むらが抑制される（ステップ４３）。
【００７４】
本形態では、液晶パネル２に表示された赤色アライメントパターン１４ｒがカメラ３により撮像されるとともに、液晶パネル２に表示された黒色画像が赤色アライメントパターン１４ｒと同一のフォーカス、シャッタースピード及びＦ値でカメラ３により撮像され、赤色アライメントパターン１４ｒの撮像画像とその黒色画像の撮像画像との差分に基づいてカメラ３の撮像面上における赤色アライメントパターン１４ｒの像の位置が検出されるから、その位置が、ノイズ（図５において、符号１６がノイズを表す。）が除去された差分の画像（赤色アライメントパターン１４ｒの撮像画像から黒色画像の撮像画像を差し引いた画像）から高精度に検出される。
【００７５】
同様に、液晶パネル２に表示された緑色アライメントパターン１４ｇがカメラ３により撮像されるとともに、液晶パネル２に表示された黒色画像が緑色アライメントパターン１４ｇと同一のフォーカス、シャッタースピード及びＦ値でカメラ３により撮像され、緑色アライメントパターン１４ｇの撮像画像とその黒色画像の撮像画像との差分に基づいてカメラ３の撮像面上における緑色アライメントパターン１４ｇの像の位置が検出されるから、その位置が、ノイズが除去された差分の画像（緑色アライメントパターン１４ｇの撮像画像から黒色画像の撮像画像を差し引いた画像）から高精度に検出され、液晶パネル２に表示された青色アライメントパターン１４ｂがカメラ３により撮像されるとともに、液晶パネル２に表示された黒色画像が青色アライメントパターン１４ｂと同一のフォーカス、シャッタースピード及びＦ値でカメラ３により撮像され、青色アライメントパターン１４ｂの撮像画像とその黒色画像の撮像画像との差分に基づいてカメラ３の撮像面上における青色アライメントパターン１４ｂの像の位置が検出されるから、その位置が、ノイズが除去された差分の画像（青色アライメントパターン１４ｂの撮像画像から黒色画像の撮像画像を差し引いた画像）から高精度に検出される。
【００７６】
そして、赤色アライメントパターン１４ｒの像の位置の検出結果及び赤色テストパターンの撮像画像に基づいて、液晶パネル２の赤色表示時のむらを低減させるための補正データが生成され、緑色アライメントパターン１４ｇの像の位置の検出結果及び緑色テストパターンの撮像画像に基づいて、液晶パネル２の緑色表示時のむらを低減させるための補正データが生成され、青色アライメントパターン１４ｂの像の位置の検出結果及び青色画像の撮像画像に基づいて、液晶パネル２の青色表示時のむらを低減させるための補正データが生成されるが、上記のように、赤色アライメントパターン１４ｒの像の位置、緑色アライメントパターン１４ｇの像の位置及び青色アライメントパターン１４ｂの像の位置が高精度に検出されるので、液晶パネル２の赤色表示時、緑色表示時及び青色表示時の各補正データも高精度に求めることができる。
【００７７】
また、これらの補正データに基づいて、液晶パネル２の入力信号が補正されるから、液晶パネル２の表示むらを効果的に低減させ、その画質を高精度に調整して向上させることができる。特に、液晶パネル２におけるＲＧＢの各表示素子の位置のずれやカメラのレンズの倍率色収差に起因して、液晶パネル２の同一ピクセルの像の位置が表示色によってカメラ３の撮像面上で大きくずれるような場合にも、液晶パネル２の入力信号は赤色表示時、緑色表示時及び青色表示時の各補正データにより表示色に合わせて細やかに補正することができるので、高画質が得られる。
【００７８】
〔実施形態２〕
本形態は、補正データ生成システム１による補正データの他の生成方法を示す。
【００７９】
図６に示すように、制御部１０は、まず、テストパターン発生装置８に指示して液晶パネル２に対してアライメントパターン表示信号（Ｇ信号）を送出させ、図４（ｂ）に示す緑色のアライメントパターン１４ｇを液晶パネル２に表示させる（ステップ４４）。制御部１０は、緑色アライメントパターン１４ｇが表示された液晶パネル２をカメラ３により適切なフォーカス、シャッタースピード及びＦ値で撮像し（ステップ４５）、このフォーカス、シャッタースピード及びＦ値を撮像条件記憶部１１に記憶させるとともに（ステップ４６）、緑色アライメントパターン１４ｇの撮像画像を撮像画像記憶部１２に記憶させる（ステップ４７）。さらに、制御部１０は、テストパターン発生装置８に指示して液晶パネル２の全面に黒色画像を表示させ（ステップ４８）、これを撮像条件記憶部１１に記憶されたフォーカス、シャッタースピード及びＦ値と同一のフォーカス、シャッタースピード及びＦ値（ステップ４５と同一のフォーカス、シャッタースピード及びＦ値）でカメラ３により撮像し（ステップ４９）、黒色画像の撮像画像を撮像画像記憶部１２に記憶させる（ステップ５０）。
【００８０】
次に、制御部１０は、撮像画像記憶部１２に記憶された緑色アライメントパターン１４ｇの撮像画像と、緑色アライメントパターン１４ｇと同一の条件で撮像した黒色画像の撮像画像との差分に基づいて、カメラ３の撮像面上における緑色アライメントパターン１４ｇの像の位置を検出する（ステップ５１）。
【００８１】
続いて、制御部１０は、テストパターン発生装置８に指示して液晶パネル２に対してテストパターン表示信号（Ｒ信号）を送出させ、赤色のテストパターンを液晶パネル２に表示させる（ステップ５２）。制御部１０は、赤色テストパターンが表示された液晶パネル２をカメラ３により撮像し（ステップ５３）、赤色テストパターンの撮像画像を撮像画像記憶部１２に記憶させる（ステップ５４）。
【００８２】
ステップ５２乃至５４と同様に、制御部１０は、テストパターン発生装置８に指示して液晶パネル２に対してテストパターン表示信号（Ｇ信号）を送出させ、緑色のテストパターンを液晶パネル２に表示させる（ステップ５５）。制御部１０は、緑色テストパターンが表示された液晶パネル２をカメラ３により撮像し（ステップ５６）、緑色テストパターンの撮像画像を撮像画像記憶部１２に記憶させる（ステップ５７）。
【００８３】
また、制御部１０は、テストパターン発生装置８に指示して液晶パネル２に対してテストパターン表示信号（Ｂ信号）を送出させ、青色のテストパターンを液晶パネル２に表示させる（ステップ５８）。制御部１０は、青色テストパターンが表示された液晶パネル２をカメラ３により撮像し（ステップ５９）、青色テストパターンの撮像画像を撮像画像記憶部１２に記憶させる（ステップ６０）。
【００８４】
各テストパターンを撮像した制御部１０は、緑色アライメントパターン１４ｇの像の位置の検出結果と、緑色画像の撮像画像に基づいて、液晶パネル２の緑色表示時の輝度むらを低減させるための補正データを生成し（ステップ６１）、これを補正データ記憶部１３に記憶させる（ステップ６２）。
【００８５】
さらに、制御部１０は、緑色アライメントパターン１４ｇの像の位置の検出結果と、赤色テストパターンの撮像画像に基づいて、液晶パネルの赤色表示時の輝度むらを低減させるための補正データを生成し（ステップ６３）、これを補正データ記憶部１３に記憶させる（ステップ６４）。
【００８６】
詳しくは、制御部１０は、緑色アライメントパターン１４ｇの像の位置の検出結果から、液晶パネル２の上記特定のピクセルが赤色表示時にカメラ３のどの撮像素子に対応するかを推定して算出することができるから（レンズの倍率色収差は光の波長に依存するため、カメラ３の撮像面上における緑色の像の位置がわかれば、他色の像の位置を推定することができる。）、上記特定のピクセルに対応しない撮像素子についても、補間等の演算により、液晶パネル２のどのピクセル又は領域に対応するかを求めることができる。つまり、赤色テストパターンの撮像画像に基づいて、液晶パネル２の各ピクセル又は各領域の輝度が求められ、液晶パネル２の赤色表示時の二次元輝度分布データを得ることができるから、制御部１０は、その二次元輝度分布データを反転させて補正データを生成する。
【００８７】
同様に、制御部１０は、緑色アライメントパターン１４ｇの像の位置の検出結果と、青色テストパターンの撮像画像に基づいて、液晶パネル２の青色表示時の輝度むらを低減させるための補正データを生成し（ステップ６５）、これを補正データ記憶部１３に記憶させる（ステップ６６）。
【００８８】
制御部１０は、補正データ記憶部１３に記憶された赤色表示時、緑色表示時、青色表示時の各補正データをＲＯＭライタ９によりＲＯＭ５に書き込み（ステップ６７）、このＲＯＭ５を備える画質調整回路４が液晶パネル２に実装されることによって、画質調整型液晶パネル６が完成する（ステップ６８）。この画質調整型液晶パネル６では、画像信号が入力されると（ステップ６９）、画質調整回路４がＲＯＭ５に書き込まれた補正データを参照して入力信号に補正値を加算し、液晶パネル２の輝度むらが抑制される（ステップ７０）。
【００８９】
本形態では、液晶パネル２に表示された緑色アライメントパターン１４ｇがカメラ３により撮像されるとともに、液晶パネル２に表示された黒色画像が緑色アライメントパターン１４ｇと同一のフォーカス、シャッタースピード及びＦ値でカメラ３により撮像され、緑色アライメントパターン１４ｇの撮像画像とその黒色画像の撮像画像との差分に基づいてカメラ３の撮像面上における緑色アライメントパターン１４ｇの像の位置が検出されるから、その位置が、ノイズが除去された差分の画像（緑色アライメントパターン１４ｇの撮像画像から黒色画像の撮像画像を差し引いた画像）から高精度に検出される。
【００９０】
そして、緑色アライメントパターン１４ｇの像の位置の検出結果及び緑色テストパターンの撮像画像に基づいて、液晶パネル２の緑色表示時のむらを低減させるための補正データが生成されるが、上記のように、緑色アライメントパターン１４ｇの像の位置が高精度に検出されるので、液晶パネル２の緑色表示時の補正データも高精度に求めることができる。
【００９１】
また、緑色アライメントパターン１４ｇの像の位置の検出結果並びに赤色テストパターンの撮像画像及び青色テストパターンの撮像画像に基づいて、液晶パネル２の赤色表示時及び青色表示時のむらを低減させるための各補正データが生成されるが、上記のように、緑色アライメントパターン１４ｇの像の位置が高精度に検出されるので、液晶パネル２の赤色表示時及び青色表示時の各補正データも高精度に求めることができる。
【００９２】
さらに、これらの補正データに基づいて、液晶パネル２の入力信号が補正されるから、液晶パネル２の表示むらを効果的に低減させ、その画質を高精度に調整することができる。特に、液晶パネル２におけるＲＧＢの各表示素子の位置のずれやカメラのレンズの倍率色収差に起因して、液晶パネル２の同一ピクセルの像の位置が表示色によってカメラ３の撮像面上で大きくずれるような場合にも、液晶パネル２の入力信号は赤色表示時、緑色表示時及び青色表示時の各補正データにより表示色に合わせて細やかに補正することができるので、高画質が得られる。
【００９３】
加えて、実施形態１に比べてアライメントパターンの撮像数が少なくてすむから、補正データの生成に要するタクトタイムを減少させることができる。
【００９４】
〔実施形態３〕
本形態は、補正データ生成システム１による補正データの他の生成方法を示す。
【００９５】
図７に示すように、制御部１０は、まず、テストパターン発生装置８に指示して液晶パネル２に対してアライメントパターン表示信号（ＲＧＢ信号）を送出させ、図４（ｄ）に示す白色（グレー）のアライメントパターン１４ｗを液晶パネル２に表示させる（ステップ７１）。制御部１０は、白色アライメントパターン１４ｗが表示された液晶パネル２をカメラ３により適切なフォーカス、シャッタースピード及びＦ値で撮像し（ステップ７２）、このフォーカス、シャッタースピード及びＦ値を撮像条件記憶部１１に記憶させるとともに（ステップ７３）、白色アライメントパターン１４ｗの撮像画像を撮像画像記憶部１２に記憶させる（ステップ７４）。さらに、制御部１０は、テストパターン発生装置８に指示して液晶パネル２の全面に黒色画像を表示させ（ステップ７５）、これを撮像条件記憶部１１に記憶されたフォーカス、シャッタースピード及びＦ値と同一のフォーカス、シャッタースピード及びＦ値（ステップ７２と同一のフォーカス、シャッタースピード及びＦ値）でカメラ３により撮像し（ステップ７６）、黒色画像の撮像画像を撮像画像記憶部１２に記憶させる（ステップ７７）。
【００９６】
次に、制御部１０は、撮像画像記憶部１２に記憶された白色アライメントパターン１４ｗの撮像画像と、白色アライメントパターン１４ｗと同一の条件で撮像した黒色画像の撮像画像との差分に基づいて、カメラ３の撮像面上における白色アライメントパターン１４ｗの像の位置を検出する（ステップ７８）。
【００９７】
続いて、制御部１０は、テストパターン発生装置８に指示して液晶パネル２に対してテストパターン表示信号（ＲＧＢ信号）を送出させ、白色のテストパターンを液晶パネル２に表示させる（ステップ７９）。制御部１０は、白色テストパターンが表示された液晶パネル２をカメラ３により撮像し（ステップ８０）、白色テストパターンの撮像画像を撮像画像記憶部１２に記憶させる（ステップ８１）。
【００９８】
白色テストパターンを撮像した制御部１０は、白色アライメントパターン１４ｗの像の位置の検出結果と、白色テストパターンの撮像画像に基づいて、液晶パネル２の白色表示時の輝度むらを低減させるための補正データを生成し（ステップ８２）、これを補正データ記憶部１３に記憶させる（ステップ８３）。
【００９９】
制御部１０は、補正データ記憶部１３に記憶された白色表示時の補正データをＲＯＭライタ９によりＲＯＭ５に書き込み（ステップ８４）、このＲＯＭ５を備える画質調整回路４が液晶パネル２に実装されることによって、画質調整型液晶パネル６が完成する（ステップ８５）。この画質調整型液晶パネル６では、画像信号が入力されると（ステップ８６）、画質調整回路４がＲＯＭ５に書き込まれた補正データを参照して入力信号に補正値を加算し、液晶パネル２の輝度むらが抑制される（ステップ８７）。
【０１００】
本形態では、液晶パネル２に表示された白色アライメントパターン１４ｗがカメラ３により撮像されるとともに、液晶パネル２に表示された黒色画像が白色アライメントパターン１４ｗと同一のフォーカス、シャッタースピード及びＦ値でカメラ３により撮像され、白色アライメントパターン１４ｗの撮像画像とその黒色画像の撮像画像との差分に基づいてカメラ３の撮像面上における白色アライメントパターン１４ｗの像の位置が検出されるから、その位置が、ノイズが除去された差分の画像（白色アライメントパターン１４ｗの撮像画像から黒色画像の撮像画像を差し引いた画像）から高精度に検出される。
【０１０１】
そして、白色アライメントパターン１４ｗの像の位置の検出結果及び白色テストパターンの撮像画像に基づいて、液晶パネル２の白色表示時のむらを低減させるための補正データが生成されるが、上記のように、白色アライメントパターン１４ｗの像の位置が高精度に検出されるので、液晶パネル２の白色表示時の補正データも高精度に求めることができる。
【０１０２】
また、この補正データに基づいて、液晶パネル２の入力信号が補正されるから、液晶パネル２の表示むらを効果的に低減させ、その画質を高精度に調整することができる。特に、液晶パネル２に色むらや高周波成分を有するむら（急峻な変化を有するむら）が目立たない場合には十分な効果が得られ、実施形態２に比べて補正データの生成に要するタクトタイムをさらに減少させることができる。
【０１０３】
以上、本発明を実施するための形態について例示したが、本発明の実施形態は上述したものに限られず、本発明の趣旨を逸脱しない範囲で適宜変更等してもよい。
【０１０４】
例えば画質調整に供する表示パネルは液晶パネルに限られず、有機ＥＬパネルやプラズマディスプレイ（ＰＤＰ）、あるいは、投影型のプロジェクタ等であってもよい。
【０１０５】
また、カメラは白黒カメラに限られずカラーカメラであってもよく、補正データは、一つの階調のテストパターンの撮像画像に基づくのではなく、複数階調のテストパターンの撮像画像に基づいて階調ごとに生成してもよく、テストパターンは、表示パネルの少なくとも一部の表示むらを示すものであれば、必ずしも表示パネルの全面に表示されるものでなくてもよい。
【０１０６】
さらに、実施形態２においてはアライメントパターンとして緑色アライメントパターンのみを撮像したが、緑色の代わりに赤色や青色のアライメントパターンを撮像してもかまわない（ただし、波長が赤色と青色の間にあり、明るくて視感度も高い緑色を撮像することが望ましい。）。
【符号の説明】
【０１０７】
１                              補正データ生成システム
２                              液晶パネル（表示パネル）
３                              カメラ
４                              画質調整回路
５                              ＲＯＭ（記憶部）
６                              画質調整型液晶パネル（画質調整型表示パネル）
７                              画質調整装置
８                              テストパターン発生装置
９                              ＲＯＭライタ
１０                            制御部
１１                            撮像条件記憶部
１２                            撮像画像記憶部
１３                            補正データ記憶部
１４ｒ，１４ｇ，１４ｂ，１４ｗ  アライメントパターン（パターン）
１５ｒ，１５ｇ，１５ｂ，１５ｗ  ドット
１６                            ノイズ
【図１】
2014128821.tif 000003
【図２】
2014128821.tif 000004
【図３】
2014128821.tif 000005
【図４】
2014128821.tif 000006
【図５】
2014128821.tif 000007
【図６】
2014128821.tif 000008
【図７】
2014128821.tif 000009
【国際調査報告】
2014128821.tif 000010
2014128821.tif 000011
2014128821.tif 000012
2014128821.tif 000013